(57)【特許請求の範囲】
【請求項１】
所定の表示手段にて変動表示される識別情報が特定態様で表示されることに基づいて遊技者にとって有利な特定遊技が実行可能となり、前記識別情報の変動表示が実行可能な遊技状態として、少なくとも第１遊技状態と、前記第１遊技状態よりも遊技者にとって有利な第２遊技状態とを有する遊技機であって、
遊技の進行に伴って所定の演出を行う演出実行手段と、
前記演出の実行に係る演出環境を設定可能な第１演出環境設定手段と、
前記第１演出環境設定手段により設定された演出環境を初期の環境に設定可能な初期化手段と、
を備え、
前記初期化手段は、
前記第１遊技状態にて前記識別情報の変動表示が行われず１の所定時間が経過した場合は、前記第１演出環境設定手段により設定された演出環境を前記初期の環境に設定し、
前記第２遊技状態にて前記識別情報の変動表示が行われず２の所定時間が経過した場合は、前記第１演出環境設定手段により設定された演出環境を前記初期の環境に設定せず、引き続き前記識別情報の変動表示が行われず３の所定時間が経過した後、前記識別情報の変動表示が開始した場合は、前記第１演出環境設定手段により設定された演出環境を前記初期の設定にするか否かの選択表示を行う
ことを特徴とする遊技機。
【発明の詳細な説明】
【技術分野】
【０００１】
本発明は、遊技機に関し、特に、いわゆるセブン機、羽根物、権利物といったパチンコ遊技機や組合せ式遊技機（アレンジボール遊技機）等の遊技機に関する。
【背景技術】
【０００２】
演出の進行に応じてスピーカ、枠ランプ、液晶表示装置等を用いた遊技演出を実行する遊技機において、スピーカ音量のような演出環境を遊技者の好みに応じて調整可能とすることが知られている（特許文献１参照）。この遊技機では、遊技者によって演出環境が設定された後、遊技が所定時間行われない場合には、遊技が中断されたと判断し、次の遊技者のために演出環境を初期化するようになっている。
【先行技術文献】
【特許文献】
【０００３】
【特許文献１】特開２０１３−３４６１８号公報
【発明の開示】
【発明が解決しようとする課題】
【０００４】
しかしながら、遊技者によって演出環境が設定された後、遊技の中断等により遊技が所定時間行われない場合であっても、一旦遊技を中断した遊技者が同じ遊技機で遊技を再開することがある。このように遊技者が同じ遊技機で遊技を再開する際、先に設定した演出環境が初期化されていると、改めて演出環境を設定し直す必要がある。
【０００５】
そこで、本発明は上記点に鑑み、演出環境の設定後に遊技を再開する際に、演出環境を再設定する必要をなくすことを目的とする。
【課題を解決するための手段】
【０００６】
上記目的を達成するため、本発明の遊技機は、
所定の表示手段にて変動表示される識別情報が特定態様で表示されることに基づいて遊技者にとって有利な特定遊技が実行可能となり、前記識別情報の変動表示が実行可能な遊技状態として、少なくとも第１遊技状態と、前記第１遊技状態よりも遊技者にとって有利な第２遊技状態とを有する遊技機であって、
遊技の進行に伴って所定の演出を行う演出実行手段と、
前記演出の実行に係る演出環境を設定可能な第１演出環境設定手段と、
前記第１演出環境設定手段により設定された演出環境を初期の環境に設定可能な初期化手段と、
を備え、
前記初期化手段は、
前記第１遊技状態にて前記識別情報の変動表示が行われず１の所定時間が経過した場合は、前記第１演出環境設定手段により設定された演出環境を前記初期の環境に設定し、
前記第２遊技状態にて前記識別情報の変動表示が行われず２の所定時間が経過した場合は、前記第１演出環境設定手段により設定された演出環境を前記初期の環境に設定せず、引き続き前記識別情報の変動表示が行われず３の所定時間が経過した後、前記識別情報の変動表示が開始した場合は、前記第１演出環境設定手段により設定された演出環境を前記初期の設定にするか否かの選択表示を行う
ことを特徴としている。
また、本発明に関連する関連発明の遊技機は、
所定の表示手段にて変動表示される識別情報が特定態様で表示されることに基づいて遊技者にとって有利な特定遊技が実行可能となり、前記識別情報の変動表示が実行可能な遊技状態として、少なくとも第１遊技状態と、前記第１遊技状態よりも遊技者にとって有利な第２遊技状態とを有する遊技機であって、
遊技の進行に伴って所定の演出を行う演出実行手段と、
前記演出の実行に係る演出環境を設定可能な第１演出環境設定手段と、
前記第１演出環境設定手段により設定された演出環境を初期の環境に設定可能な初期化手段と、
を備え、
前記初期化手段は、
前記第１遊技状態にて前記識別情報の変動表示が行われず所定の初期化条件が成立した場合は、前記第１演出環境設定手段により設定された演出環境を前記初期の環境に設定し、
前記第２遊技状態にて前記識別情報の変動表示が行われず前記初期化条件が成立した場合は、前記第１演出環境設定手段により設定された演出環境を前記初期の環境に設定しない
ことを特徴としている。
【０００７】
遊技者に有利な第２遊技状態中は、遊技者が遊技を止める可能性が低く、休憩等により遊技者が一旦遊技を中断したとしても、同一の遊技者が遊技を再開する可能性が高い。そこで、本発明および関連発明のように、第２遊技状態中には初期化条件が成立しても演出環境を初期化しないことで、初期化条件成立後においても演出環境が維持される。このため、遊技者が休憩後に遊技を再開したような場合であっても、改めて演出環境を設定し直す必要がない。これにより、演出環境が無駄に初期化されてしまうことを防ぐことができ、遊技状況に応じた演出環境の制御が可能となる。
【０００８】
また、関連発明の遊技機では、
前記演出環境を設定可能な第２演出環境設定手段を備え、
前記初期化手段は、前記第２演出環境設定手段により設定された演出環境を、前記初期の環境として設定する
ことを特徴としている。
【０００９】
これにより、第２演出環境設定手段で設定された演出環境（初期の環境）を第１演出環境設定手段により変更可能となる。例えば、第２演出環境設定手段を遊技ホール店員が操作可能な入力手段とし、第１演出環境設定手段を遊技者が操作可能な入力手段とすることで、遊技ホール店員が設定した演出環境（初期の環境）を遊技者が好みに応じて変更可能とすることができる。
【００１０】
また、関連発明の遊技機では、
前記初期化手段は、前記第２遊技状態にて所定の初期化指示を行うことに基づいて、前記第１演出環境設定手段により設定された演出環境を前記初期の環境に設定する
ことを特徴としている。
【００１１】
これにより、第２遊技状態中であっても、演出環境の初期化を望む場合には、演出環境を手動で初期化することができる。
【発明の効果】
【００１２】
以上の本発明の構成によれば、演出環境の設定後に遊技を再開する際に、演出環境を再設定する必要をなくすことができる。
【図面の簡単な説明】
【００１３】
【図１】本発明を適用した実施例に係る遊技機の正面図である。
【図２】遊技盤の正面図である。
【図３】図柄表示装置の説明図である。
【図４】演出表示装置の表示例を示す説明図である。
【図５】電子制御装置の概略構成を示すブロック図である。
【図６】音量設定スイッチの説明図である。
【図７】演出環境設定処理の画面表示例を示す説明図である。
【図８】演出環境設定処理の画面表示例を示す説明図である。
【図９】メインジョブの流れを示すフローチャートである。
【図１０（ａ）】特別図柄遊技処理の前半部分を示すフローチャートである。
【図１０（ｂ）】特別図柄遊技処理の後半部分を示すフローチャートである。
【図１１】始動口入賞処理を示すフローチャートである。
【図１２】特別図柄変動表示処理を示すフローチャートである。
【図１３】大当り遊技処理を示すフローチャートである。
【図１４】大当り遊技終了時処理を示すフローチャートである。
【図１５】メニュー選択処理を示すフローチャートである。
【図１６】演出環境初期化処理を示すフローチャートである。
【図１７】第２実施例の遊技復帰処理の画面表示例を示す説明図である。
【図１８】第２実施例の演出環境初期化処理を示すフローチャートである。
【図１９】第３実施例の遊技復帰処理の画面表示例を示す説明図である。
【図２０】第３実施例の演出環境初期化処理を示すフローチャートである。
【発明を実施するための形態】
【００１４】
（第１実施例）
以下、本発明の第１実施例について図面を用いて説明する。なお、以下では、特別図柄の変動表示の終了に伴い大当り図柄が停止表示され、これを契機に大当り遊技が開始されるタイプ（いわゆるセブン機タイプ）のパチンコ遊技機（以下、単に遊技機という）に本発明を適用した実施例について説明する。
【００１５】
図１は、本実施例の遊技機１の正面図である。図１に示すように、遊技機１は、遊技枠２と遊技盤２０等を備えている。図１では遊技盤２０の詳細な図示を省略している。遊技枠２は、外枠３、中枠４、前面枠５、上皿部６、下皿部７等から構成される。中枠４は、前面枠５が前面側に配置されているため、図１においては明示されていない。
【００１６】
外枠３は木製の板状体を略長方形の枠状に組立てたものである。外枠３は、パチンコホールの島設備に設けられた設置部位に固定されると共に遊技機本体を支持するためのものである。この外枠３は、略矩形状の枠状体によって構成される外枠本体３ａと、外枠本体３ａの前面下部を覆う前板部３ｂとを備えている。
【００１７】
中枠４はプラスチック製で遊技機１の本体枠を構成するもので、外枠３の内側にはめ込まれて設置されており、外枠３に対して開閉可能に左端で軸支されている。この中枠４は、上側２／３程度を占める枠体部と下側１／３程度を占める下板部とから構成されている。枠体部の前面側には遊技盤２０と前面枠５とが重なるように設けられている。前面枠５における下方側には、上皿部６と下皿部７が一体的に設けられている。下板部には、遊技球を遊技盤２０に発射する発射手段を構成する発射装置（図示略）、遊技球を発射装置に供給する球送り装置（図示略）が設けられている。前面枠５の右側下方には、前面枠５を閉じた場合にこれを施錠するための施錠装置５ｂが設けられている。
【００１８】
前面枠５は、中枠４の前面側に配置され、中枠４の左端で開閉可能に支持されている。前面枠５はプラスチック製であり、その奥側に配置される遊技盤２０の盤面を視認可能にするための開口部５ａが形成されている。前面枠５の裏面には、開口部５ａに対応したガラス板等の透明板を備える略長方形状の透明板枠（図示略）が装着されている。
【００１９】
前面枠５における開口部５ａの周囲には、ＬＥＤ等を用いた枠ランプ部５ｃが設けられている。枠ランプ部５ｃは、遊技効果を高めるために遊技の進行に応じて点灯・消灯あるいは点滅する。
【００２０】
上皿部６は、前面枠５における開口部５ａの下側に設けられている。上皿部６には、賞球あるいは貸球として払い出される遊技球を排出するための排出口６ａが設けられている。上皿部６の上面のうち、左側にはメニューボタン８、中央には演出ボタン９、右側にはＣＲ操作部１０がそれぞれ設けられている。演出ボタン９は、円形のチャンスボタン９ａと、チャンスボタン９ａの左側に設けられた十字キー９ｂとからなる。
【００２１】
メニューボタン８および演出ボタン９は、遊技者による入力が可能な入力手段として機能するもので、遊技者が押圧操作することで基準位置から下方に移動するとともに、押圧を解くことで上方に移動して基準位置に復帰する押しボタンによって構成されている。メニューボタン８および演出ボタン９は、遊技者によって押圧操作された場合に、そのことを検知する操作検知スイッチ（図示略）をそれぞれ備えている。このような操作検知スイッチとしては、メニューボタン８あるいは演出ボタン９が所定量押圧された場合にＯＮとなる押圧検知スイッチやメニューボタン８あるいは演出ボタン９に触れたことを検知するタッチスイッチ等を用いることができる。メニューボタン８あるいは演出ボタン９の操作が検知されると、メニューボタン８あるいは演出ボタン９からボタン操作が行われたことを示す操作信号が出力され、この操作信号は後述するサブ制御部２６０に入力する。
【００２２】
ＣＲ操作部１０は、遊技機１の左側に設けられたプリペイドカードユニット１３（ＣＲユニット）に対する処理要求を行うために用いられるもので、プリペイドカードの返却を要求する返却ボタン１０ａと、遊技球の貸し出しを要求する球貸ボタン１０ｃとを備えている。また、ＣＲ操作部１０には、プリペイドカードの残り度数を表示する度数表示部１０ｂが設けられている。
【００２３】
下皿部７は、前面枠５における上皿部６の下方に設けられている。下皿部７の略中央には、遊技機１の内部から下皿部７に遊技球を排出するための排出口７ａが設けられている。下皿部７の右端には、遊技者が発射装置を操作するための発射ハンドル１０が設けられている。発射ハンドル１０には、遊技者が触れていることを検知する接触検知手段としてのタッチスイッチ１０ａが設けられている。発射ハンドル１０の左側面には、遊技者が操作して遊技球の発射を一時的に停止する発射停止スイッチ１０ｂが配置されている。
【００２４】
また、遊技機１には、遊技状態に応じた効果音等を発生させるためのスピーカ１２ａ〜１２ｄが設けられている。スピーカ１２ａ〜１２ｄは、前面枠５の上部に設けられた上部スピーカ１２ａ、１２ｂと、前面枠５の下方の前板部２ｂに設けられた下部スピーカ１２ｃ、１２ｄとからなる。
【００２５】
次に、本実施例の遊技盤２０の表面構造について説明する。図２は遊技盤２０の正面図である。遊技盤２０は、略長方形の木製の板状体であって中枠３に着脱可能に取り付けられているとともに、裏機構盤（図示略）によりその背面側が覆われている。
【００２６】
図２に示すように、遊技盤２０には、遊技盤２０の表面（盤面）に設けられた外レール２２と内レール２３とにより、略円形状の遊技領域２１が形成されている。遊技領域２１内には、中央装置２４、可動役物２６、普通図柄作動ゲート２７、始動口２８，２９、大入賞口３２、一般入賞口３４，３５，３６，３７等の遊技装置が配設されている。遊技領域２１の最下方には、遊技領域２１から遊技球を排出するためのアウト口４７が設けられている。アウト口４７の内部には、アウト口４７から排出される遊技球を検知するアウト口検知スイッチ４７ｓ（図５参照）が設けられている。また、遊技領域２１には各遊技装置との位置バランスを考慮して多数の障害釘が配設されている。
【００２７】
中央装置（センター役物）２４は遊技領域２１の略中央部に配置され、演出表示装置２５を備えている。本実施例では、演出表示装置２５として液晶表示装置を用いており、演出表示装置２５の表示領域Ｖでは各種演出表示が行われる。
【００２８】
中央装置２４における演出表示装置２５の上方には、可動役物２６が設けられている。可動役物２６は、上下方向移動可能な装飾用の可動体であり、演出表示装置２５の表示領域Ｖの前面側に出現すること可能となっている。可動役物２６は、例えばソレノイドなどを用いて演出の進行に応じて作動するようになっている。
【００２９】
普通図柄作動ゲート２７は、中央装置２４の右側に設けられている。このため、遊技領域２１の右側領域を狙って遊技球を発射する「右打ち」を行うことで、普通図柄作動ゲート２７に遊技球を効果的に通過させることができる。普通図柄作動ゲート２７の内部には、遊技盤上を流下する遊技球の通過を検知する普通図柄作動ゲート検知スイッチ２７ｓ（図５参照）が設けられている。遊技球が普通図柄作動ゲート２７を通過することで、普通図柄が変動表示を開始する。
【００３０】
第１始動口２８は、中央装置２４の中央位置の下方に設けられ、第２始動口２９は、中央装置２４の右側下方に設けられている。このため、遊技領域２１の左側領域を狙って遊技球を発射する「左打ち」を行うことで、第１始動口２８に遊技球を効果的に入球させることができ、遊技領域２１の右側領域を狙って遊技球を発射する「右打ち」を行うことで、第２始動口２９に遊技球を効果的に入球させることができる。
【００３１】
第１始動口２８は、遊技球受入口の大きさが変化せず遊技球の入球可能性が一定とされる非可変始動口とされており、遊技球の入球が常時可能となっている。一方、第２始動口２９はいわゆるチューリップ式で左右に一対の翼片部２９ａを備えており、この一対の翼片部２９ａの上端間隙が遊技球受入口となっている。この一対の翼片部２９ａは、各々左右方向に傾動することで開閉動作を行うものとされており、この開閉動作により、第２始動口２９は一対の翼片部２９ａの遊技球受入口の大きさが変化する可変始動口とされている。第２始動口２９は、一対の翼片部２９ａが開動作することで入球可能性が高い開放状態となり、一対の翼片部２９ａが閉動作することで入球可能性が低い通常状態（入球不能な閉鎖状態を含む）となる。普通図柄が当り図柄の組合せで停止表示された場合には、一対の翼片部２９ａが開動作して第２始動口２９の遊技球受入口が拡大され、第２始動口２９は普通電動役物に係る入賞口として機能する。
【００３２】
第１始動口２８の内部には、遊技球の入球を検知する第１始動口検知スイッチ２８ｓ（図５参照）が設けられている。また、第２始動口２９の内部には、遊技球の入球を検知する第２始動口検知スイッチ２９ｓ（図５参照）と、一対の翼片部２９ａを作動させるための始動口ソレノイド２９ｃ（図５参照）とが備えられている。この一対の翼片部２９ａが立設された場合には、第２始動口２９の遊技球受入口の大きさが遊技球の直径より僅かに大きい（遊技球１個が通過可能な）通常の大きさとされ、第２始動口２９は遊技球の入球可能性が小さくなる（または入球不能となる）閉鎖状態（第１態様）となる。一方、一対の翼片部２９ａが左右に開動作した場合には、第２始動口２９の遊技球受入口の大きさが通常時より拡大され、第２始動口２９は遊技球の入球可能性が大きくなる開放状態（第２態様）となる。遊技球が第１始動口２８に入球すること、すなわち遊技球が第１始動口検知スイッチ２８ｓにより検知されることで、所定数（本実施例では３個）の賞球が払い出されるとともに、第１特別図柄が変動表示を開始する。また、遊技球が第２始動口２９に入球すること、すなわち遊技球が第２始動口検知スイッチ２９ｓにより検知されることで、所定数（本実施例では３個）の賞球が払い出されるとともに、第２特別図柄が変動表示を開始する。特別図柄の変動表示については、後述する。
【００３３】
特別電動役物に係る入賞口である大入賞口３２は、第２始動口２９の下方に配設されている。大入賞口３２は、大入賞口３２を開放・閉鎖する開閉板３２ａと、この開閉板３２ａを作動させるための大入賞口ソレノイド３２ｃ（図５参照）と、遊技球の入球を検知する大入賞口検知スイッチ３２ｓ（図５参照）とから主に構成されている。
【００３４】
遊技領域２１の左下領域には、左入賞口３４，３５，３６が設けられ、遊技領域２１の右下領域には、右入賞口３７が設けられている。これら一般入賞口の内部には、それぞれ入賞口検知スイッチ（図示せず）が設けられている。
【００３５】
遊技盤２０における遊技領域２１の左下には、図柄表示装置４０が設けられている。図３は、図柄表示装置４０を拡大して示している。図３に示すように、図柄表示装置４０には、普通図柄表示部４１、普通図柄保留表示部４２、第１特別図柄表示部４３、第２特別図柄表示部４４、第１特別図柄保留表示部４５、第２特別図柄保留表示部４６が設けられている。普通図柄表示部４１、第１特別図柄表示部４３および第２特別図柄表示部４４は、７セグメント表示装置から構成され、普通図柄保留表示部４２、第１特別図柄保留表示部４５、第２特別図柄保留表示部４６は、それぞれ２個のＬＥＤから構成されている。
【００３６】
普通図柄表示部４１では、普通図柄の変動表示及び停止表示が行われる。普通図柄表示部４１を構成する７セグメント表示装置は、各セグメントの点灯および消灯が可能となっており、これら各セグメントの点灯および消灯の組合せにより複数の表示態様を採ることができる。
【００３７】
普通図柄表示部４１では、普通図柄作動ゲート２７を遊技球が通過することにより普通図柄が変動表示を開始し、所定時間経過後に普通図柄が当りあるいは外れの表示態様で停止表示される。そして、普通図柄が予め設定された当りの表示態様で停止表示されると、第２始動口２９が所定の開放パターンにしたがって開放される。第２始動口２９の開放パターンは複数種類設定されている。第２始動口２９の開放時間を延長させる開放時間延長機能の非作動時（通常遊技状態）には、第１開放時間（例えば０．５秒）が設定された第１開放パターン（短時間開放パターン）がセットされ、開放時間延長機能の作動時（時短遊技状態）には第１開放時間より長い第２開放時間（例えば４秒）が設定された第２開放パターン（長時間開放パターン）がセットされる。なお、開放時間延長機能については後述する。
【００３８】
本実施例では、普通図柄当否判定値が用意されており、この普通図柄当否判定値は、遊技球が普通図柄作動ゲート２７を通過した際に取得され、第２始動口２９を作動させるか否か（開放状態とするか否か）の普通図柄当否判定に用いられる。普通図柄当否判定値には「当り値」が予め設定されており、取得された普通図柄当否判定値が当り値と一致する場合に当りと判定される。そして、普通図柄当否判定で当りと判定された場合には、普通図柄表示部４１で停止表示される普通図柄は、当り普通図柄の表示態様に決定される。一方、外れと判定された場合（取得された普通図柄当否判定値が当り値と一致しない場合）には、普通図柄表示部４１で停止表示される普通図柄は外れ普通図柄の表示態様に決定される。なお、普通図柄当否判定値としては、カウンタＩＣによる乱数カウンタを用いたハードウェア乱数やソフトウェアによる乱数カウンタを用いたソフトウェア乱数を用いて生成することができる。
【００３９】
ここで、普通図柄の保留について説明する。普通図柄表示部４１で普通図柄が変動表示中など、普通図柄作動ゲート２７を遊技球が通過しても普通図柄当否判定および普通図柄の変動表示を直ちに実行できない場合には、普通図柄当否判定の権利を保留可能となっている。普通図柄保留表示部４２には普通図柄保留数が表示され、普通図柄作動ゲート２７を通過した遊技球の数を最大保留数（本実施例では４個）まで保留可能となっている。そして、次回の普通図柄当否判定が行われ普通図柄の変動表示が開始する毎に、未始動回数（保留数）が消化され、普通図柄保留数が１個ずつ減少する。普通図柄保留表示部４２は２つのＬＥＤからなり、２個のＬＥＤの消灯、点灯、および点滅を組み合わせることで、４個を上限として保留数を表示することができる。普通図柄の保留に伴って、普通図柄当否判定値が主制御部２００のＲＡＭの所定領域に記憶される。
【００４０】
なお、普通図柄当否判定、普通図柄の停止図柄の決定、普通図柄の変動パターンの設定、普通図柄の保留記憶および保留消化は、後述の主制御部２００によって行われる。
【００４１】
次に、特別図柄について説明する。本実施例では、第１特別図柄および第２特別図柄の２つの特別図柄が設けられており、それに伴い、第１特別図柄を表示する第１特別図柄表示部４３と、第２特別図柄を表示する第２特別図柄表示部４４とが設けられている。なお、以下の説明において「特別図柄」と記載する場合、特段の理がない限り、その記載は「第１特別図柄」または「第２特別図柄」を指すものとし、特別図柄の種類は問わないものとする。
【００４２】
各特別図柄表示部４３，４４は、それぞれ７セグメント表示装置により特別図柄（第１特別図柄、第２特別図柄）が表示される。この各特別図柄表示部４３，４４を構成する７セグメント表示装置は、各セグメントの点灯および消灯が可能となっており、これら各セグメントの点灯および消灯の組合せにより複数の表示態様を採ることができる。そして、第１特別図柄表示部４３および第２特別図柄表示部４４において、それぞれ７セグメント表示装置での点灯および消灯の組合せのうち特定の組合わせが大当り図柄として設定されており、その大当り図柄以外の組合わせが外れ図柄として設定されている。
【００４３】
第１始動口２８への遊技球の入球に基づいて、第１特別図柄表示部４３で第１特別図柄の変動表示が開始され、所定時間経過後に第１特別図柄が大当り図柄あるいは外れ図柄のいずれかで停止表示される第１特別図柄の図柄変動遊技が行われる。また、第２始動口２９への遊技球の入球に基づいて、第２特別図柄表示部４４で第２特別図柄の変動表示が開始され、所定時間経過後に第２特別図柄が大当り図柄あるいは外れ図柄のいずれかで停止表示される第２特別図柄の図柄変動遊技が行われる。
【００４４】
本実施例では、遊技球が第１始動口２８に入球した際に取得される第１特別図柄用判定値（入球情報）と、遊技球が第２始動口２９に入球した際に取得される第２特別図柄用判定値（入球情報）とが設けられている。第１特別図柄用判定値には、大当り遊技を実行するか否かの第１特別図柄当否判定に用いられる第１特別図柄当否判定値と、第１特別図柄の変動パターンを決定する変動パターン判定に用いられる第１変動パターン判定値と、第１特別図柄の停止図柄を決定する当り図柄判定に用いられる第１図柄判定値と、リーチ演出を行うか否かを決定するリーチ判定に用いられる第１リーチ判定値とが含まれている。同様に、第２特別図柄用判定値には、大当り遊技を実行するか否かの第２特別図柄当否判定に用いられる第２特別図柄当否判定値と、第２特別図柄の変動パターンを決定する変動パターン判定に用いられる第２変動パターン判定値と、第２特別図柄の停止図柄を決定する当り図柄判定に用いられる第２図柄判定値と、リーチ演出を行うか否かを決定するリーチ判定に用いられる第２リーチ判定値とが含まれている。尚、遊技球が始動口（第１始動口、第２始動口）に入球することに基づいて取得する情報を、入球情報（「取得情報」ともいう）という。
【００４５】
第１始動口２８への遊技球の入球に基づいて、第１特別図柄当否判定値と第１変動パターン判定値と第１図柄判定値と第１リーチ判定値が取得され、この取得された各判定値は、主制御部２００のＲＡＭの所定領域に記憶される。また、第２始動口２９への遊技球の入球に基づいて、第２特別図柄当否判定値と第２変動パターン判定値と第２図柄判定値と第２リーチ判定値が取得され、この取得された各判定値は、主制御部２００のＲＡＭの所定領域に記憶される。なお、特別図柄用判定値（特別図柄当否判定値、変動パターン判定値、図柄判定値、リーチ判定値）としては、カウンタＩＣによる乱数カウンタを用いたハードウェア乱数やソフトウェアによる乱数カウンタを用いたソフトウェア乱数を用いて生成することができる。
【００４６】
ここで、特別図柄の保留について説明する。特別図柄（第１特別図柄、第２特別図柄）の変動表示中、大当り遊技実行中など、第１始動口２８に遊技球が入球しても第１特別図柄当否判定および第１特別図柄の変動表示を直ちに実行できない場合には、第１特別図柄当否判定の権利を保留可能となっている。第１特別図柄保留表示部４５は２つのＬＥＤからなり、２個のＬＥＤの消灯、点灯、および点滅を組み合わせることで、それぞれ４個を上限として保留数を表示することができる。つまり、第１特別図柄保留表示部４５には、第１始動口２８への遊技球の入球によって取得される特別図柄用判定値（入球情報）が主制御部２００のＲＡＭの所定領域（保留記憶領域）に記憶されていることを示す記憶情報が表示される。
【００４７】
第１始動口２８に入球した遊技球の数は、第１特別図柄保留数として最大保留数（本実施例では４個）に達するまで保留可能となっている。第１特別図柄保留表示部４５で表示される第１特別図柄保留数は、第１始動口２８への遊技球の入球が発生する度に取得されて主制御部２００のＲＡＭの所定領域（第１保留記憶領域）に記憶される第１特別図柄用判定値（第１特別図柄当否判定値、第１変動パターン判定値、第１図柄判定値、第１リーチ判定値）の個数（記憶数）に相当する。そして、第１特別図柄保留数は、第１特別図柄当否判定が行われ第１特別図柄の変動表示が開始される毎に消化され、１個ずつ減少する。第１特別図柄の保留記憶および保留消化は、後述の主制御部２００によって行われる。
【００４８】
第２始動口２９に入球した遊技球の数は、第２特別図柄保留数として最大保留数（本実施例では４個）に達するまで保留可能となっている。第２特別図柄保留表示部４６で表示される第２特別図柄保留数は、第２始動口２９への遊技球の入球が発生する度に取得されて主制御部２００のＲＡＭの所定領域（第２保留記憶領域）に記憶される第２特別図柄用判定値（第２特別図柄当否判定値、第２変動パターン判定値、第２図柄判定値、第２リーチ判定値）の個数（記憶数）に相当する。そして、第２特別図柄保留数は、第２特別図柄当否判定が行われ第２特別図柄の変動表示が開始される毎に消化され、１個ずつ減少する。第２特別図柄の保留記憶および保留消化は、後述の主制御部２００によって行われる。
【００４９】
特別図柄（第１特別図柄、第２特別図柄）が停止表示して図柄変動遊技が終了し、停止表示時間が経過すると、次の図柄変動遊技、大当り遊技などが実行可能な状態となる。本実施例では、特別図柄の停止表示時間を「０．６秒」としている。
【００５０】
特別図柄当否判定値には、当否判定用の当り値（大当り値）が設定されており、遊技球が第１始動口２８または第２始動口２９に入球したタイミングで取得された特別図柄当否判定値が、大当り値と一致する場合に「大当り」となり、大当り値と一致しない場合に「外れ」となる。第１特別図柄当否判定は第１特別図柄が変動表示を開始する際に行われ、第２特別図柄当否判定は第２特別図柄が変動表示を開始する際に行われる。
【００５１】
第１特別図柄当否判定で大当りと判定された場合には、第１特別図柄表示部４３で停止表示される第１特別図柄が大当りを示す表示態様（大当り態様）である大当り図柄に決定される。また、第１特別図柄当否判定で外れと判定された場合には、第１特別図柄表示部４３で停止表示される第１特別図柄が外れを示す表示態様（外れ態様）である外れ図柄に決定される。同様に、第２特別図柄当否判定で大当りと判定された場合には、第２特別図柄表示部４４で停止表示される第２特別図柄が大当りを示す表示態様（当り態様）である大当り図柄に決定される。また、第２特別図柄当否判定で外れと判定された場合には、第２特別図柄表示部４４で停止表示される第２特別図柄が外れを示す表示態様（外れ態様）である外れ図柄に決定される。
【００５２】
特別図柄は、所定の変動パターンに基づいて変動表示するように構成されている。この変動パターンは、特別図柄の変動時間や、その変動におけるリーチ演出の有無（演出内容）を規定するものである。特別図柄の変動パターンは、特別図柄当否判定が実行される際に、１以上の変動パターンが含まれる変動パターンテーブルから変動パターン判定値を用いた変動パターン判定により決定される。
【００５３】
特別図柄の変動パターンテーブルは、遊技状態に応じて複数用意されており、特別図柄が変動表示を開始するときの遊技状態に応じて適宜選択される。本実施例では、特別図柄の変動パターンテーブルとして、遊技状態が通常遊技状態にあるときに用いられる通常変動パターンテーブルと、遊技状態が時短遊技状態にあるときに用いられる時短変動パターンテーブルとが設けられている。これらの各変動パターンテーブルには、特別図柄当否判定の結果が大当りの場合に選択される大当り変動パターンテーブルと、特別図柄当否判定の結果が外れの場合に選択される外れ変動パターンテーブルとがあり、大当り変動パターンテーブルに基づいて大当り変動パターンが選択可能となり、外れ変動パターンテーブルに基づいて外れ変動パターンが選択可能となる。各変動パターンテーブルには１以上の変動パターンが格納されるが、変動パターンテーブルに格納される変動パターンの数は１つでも複数でもよい。
【００５４】
なお、外れ変動パターンテーブルに格納される外れ変動パターンには、リーチ演出を伴わない「通常外れ変動パターン（リーチなし外れ変動パターン）」と、リーチ演出を伴う「リーチあり外れ変動パターン」とがある。通常外れ変動パターンは、リーチあり外れ変動パターンに比べ特別図柄の変動時間が短い変動パターンとして構成されており、リーチあり外れ変動パターンは、通常外れ変動パターンに比べ特別図柄の変動時間が長い変動パターンとして構成されている。また、リーチ演出の有無は、始動口２８、２９への遊技球入球時に取得されるリーチ判定値を用いたリーチ判定によって決定される。
【００５５】
第１特別図柄当否判定、第２特別図柄当否判定、第１特別図柄の変動態様（変動パターン）の決定、第２特別図柄の変動態様（変動パターン）の決定、第１特別図柄の停止図柄の決定、第２特別図柄の停止図柄の決定、第１特別図柄の変動表示および停止表示、第２特別図柄の変動表示および停止表示は、後述の主制御部２００によって行われるように構成されている。
【００５６】
次に、大当り遊技について説明する。特別図柄表示部４３、４４で停止表示された特別図柄が前述した大当り図柄であった場合（特別図柄当否判定の結果が大当りだった場合）に、条件装置および役物連続作動装置が作動して大当り遊技が開始される。
【００５７】
ここで、条件装置とは、役物連続作動装置が作動するための条件となる装置である。条件装置は、後述の主制御部２００のＣＰＵ２００ｂを主体として構成され、特別図柄が大当り図柄で停止表示することで作動を開始する。また、役物連続作動装置とは、主制御部２００のＣＰＵ２００ｂを主体として構成され、大入賞口３２を連続して開放状態とする装置である。役物連続作動装置が作動することで遊技者にとって有利な大当り遊技（特定遊技）が実行される。なお、大当り遊技の実行中は大当り遊技フラグがＯＮに設定される。
【００５８】
大当り遊技は、大入賞口３２を複数回開閉させることで、大入賞口３２への遊技球の入球を可能とし、その入球に基づいて遊技者に利益（賞球）が付与されるもので、後述の主制御部２００による大当り遊技処理が繰り返し実行されることによって実現される。大当り遊技では、大入賞口３２への遊技球の入球に応じて、所定数（本実施例では１５個）の賞球が払い出される。つまり、大入賞口３２内に配設される大入賞口検知スイッチ３２ｓが遊技球を検知することで、賞球が払い出される。
【００５９】
大当り遊技の開始により、開閉板３２ａを連続して開閉動作させ、大入賞口３２を遊技球が入球可能な開放状態（入球可能状態）と遊技球が入球不能な閉鎖状態（入球不能状態）とに切り替える大入賞口開閉動作が複数回連続して行われる。この開放状態は、所定の終了条件成立により終了し、開放していた大入賞口３２が閉鎖状態となる。所定の終了条件として、大入賞口３２の開放時間が規定時間（本実施例では３０秒）に達したとき、もしくは開放状態の大入賞口３２に入球した遊技球数が規定数（本実施例では１０個）に達したときとすることができる。大入賞口３２が開放状態となる遊技を「ラウンド遊技」とした場合、１回の大当り遊技で継続可能なラウンド数（本実施例では１５ラウンド）が設定されている。大入賞口３２が閉鎖状態となってラウンド遊技が終了すると、所定のインターバル時間（本実施例では２秒）の経過後、大入賞口３２が開放状態となって次回のラウンド遊技が開始される。
【００６０】
本実施例の遊技機では、大当り遊技の終了後、変動時間短縮機能、開放時間延長機能、確率変動機能が作動して有利状態（後述する「電サポあり非確変状態」や「電サポあり確変状態」など）が開始される。変動時間短縮機能、開放時間延長機能、確率変動機能が作動する有利状態では、それら各機能が作動しない通常状態よりも有利な条件で特別図柄の図柄変動遊技を進行させることができる。ここで、有利状態としては、（ａ）変動時間短縮機能、開放時間延長機能および確率変動機能のすべてが作動する状態（電サポあり確変状態）、（ｂ）変動時間短縮機能、開放時間延長機能および確率変動機能のうち確率変動機能だけが作動する状態（電サポなし確変状態）、（ｃ）変動時間短縮機能、開放時間延長機能および確率変動機能のうち変動時間短縮機能および開放時間延長機能だけが作動する状態（電サポあり非確変状態）、を例示できる。変動時間短縮機能、開放時間延長機能、確率変動機能の各機能は、それぞれ変動短縮フラグ、開放延長フラグ、確変フラグをＯＮに設定することで作動する。また、変動時間短縮機能および開放時間延長機能は、それぞれ同時に作動を開始するとともに同時に作動を終了する。以下、変動時間短縮機能および開放時間延長機能の作動状態に関する説明について、何れか一方の機能だけを挙げて説明している場合には、もう一方の機能も対になっているものとする。例えば、以下の説明で「変動時間短縮機能が作動している」と記載する場合、この記載は「開放時間延長機能も作動している」と解することができ、逆に、「開放時間延長機能が作動している」と記載する場合、この記載は「変動時間短縮機能が作動している」と解することができる。また、以下では、変動時間短縮機能および開放時間延長機能が作動する状態のことを「時短状態」ともいう。よって、上述した（ａ）「電サポあり確変状態」は「確変状態かつ時短状態」ということになり、同じく（ｃ）「電サポあり非確変状態」は単なる「時短状態」ということになる。
【００６１】
上述のように、特別図柄の停止図柄が通常大当り図柄の場合には、大当り遊技の終了後、確率変動機能を作動させることなく、変動時間短縮機能および開放時間延長機能を作動させることで「電サポあり非確変状態」（時短状態）が開始される。電サポあり非確変状態（時短状態）は、主制御部２００の制御により実現されるものである。開放時間延長機能の作動により、第２始動口２９の開放時間が、通常時の設定時間である第１開放時間（例えば０．２秒）から第２開放時間（例えば５秒）に延長される。これにより、第２始動口２９への遊技球入球頻度が、通常時（開放時間延長機能非作動時）に比べて高くなる。
【００６２】
電サポあり非確変状態（時短状態）は、大当り遊技終了後、特別図柄の変動表示（または停止表示）の実行回数が所定回数となるまで継続するように構成されており、その所定回数は時短回数として設定される。電サポあり非確変状態（時短状態）は、大当り遊技終了後、特別図柄の変動表示（または停止表示）の実行回数が所定回数（本実施例では１００回）となるまで継続するように構成されており、その所定回数は時短回数として設定される。
【００６３】
また、特別図柄の停止図柄が確変大当り図柄の場合には、大当り遊技の終了後、確率変動機能、変動時間短縮機能および開放時間延長機能を作動させて、「電サポあり確変状態」が開始される。確変大当りによって開始する大当り遊技を「確変大当り遊技」ともいう。電サポあり確変状態は、主制御部２００の制御により実現されるものであり、この状態では、変動時間短縮機能および開放時間延長機能とともに、特別図柄当否判定の結果が大当りとなる確率（判定確率、当り確率、当否判定確率ともいう）、すなわち特別図柄が大当り図柄で停止表示する確率を通常よりも高くする確率変動機能が作動する。電サポあり確変状態は、大当り遊技の終了後、次回の大当り遊技が開始されるまで継続するように構成されている。つまり、「確変状態」と「時短状態」の双方が、次回の大当り遊技が開始されるまで継続するものとなっている。
【００６４】
確率変動機能の作動時（確変状態）は、特別図柄当否判定用の大当り値が増加することで、特別図柄当否判定の結果が大当りとなる確率が高くなる。具体的には、大当り値が設定された当否判定テーブルとして、低確率当否判定テーブルと、低確率当否判定テーブルより大当り値の数が多く設定されている高確率当否判定テーブルとが用意されている。そして、確率変動機能の非作動時には、低確率当否判定テーブルを用いて特別図柄当否判定を行うことで、特別図柄当否判定値が大当り値と一致する確率が低確率（本実施例では１／１００）となり、確率変動機能の作動時には、高確率当否判定テーブルを用いて特別図柄当否判定を行うことで、特別図柄当否判定値が大当り値と一致する確率が高確率（本実施例では１／２０）となる。
【００６５】
本実施例の遊技機１では、第１特別図柄表示部４３または第２特別図柄表示部４４を用いて行われる特別図柄の図柄変動遊技に対応して、演出表示装置２５にて図柄変動演出が行われる。図柄変動演出では、特別図柄の変動表示中に特別図柄の変動パターンに基づく所定の演出が行われる。図柄変動演出としては、例えば第１特別図柄表示部４３での第１特別図柄または第２特別図柄表示部４４での第２特別図柄の変動表示に合わせて、数字図柄からなる演出図柄（演出画像）を変動表示させる変動表示演出、演出図柄の変動表示中に行われるリーチ演出、「大当りが発生する可能性」や「後に行われるリーチ演出などの演出内容」を事前に示す予告演出、１回の特別図柄遊技中に演出図柄の変動表示および停止表示（演出図柄の単位変動）を複数回行う擬似連続変動演出などが挙げられる。図柄変動演出では、演出表示装置２５の表示領域Ｖを用いた表示演出のみならず、可動役物２６を用いた可動演出、スピーカ１２ａ〜１２ｄから出力される効果音を用いた音声演出、枠ランプ部５ｃのランプを用いたランプ演出なども行われる。図柄変動演出の演出内容（演出パターン）は複数種類存在し、これら演出用の表示データ（画像データ）は演出表示制御部２８０のＲＯＭに記憶されている。
【００６６】
ここで、後述のサブ制御部２６０および演出表示制御部２８０の制御下で実現される図柄変動演出について説明する。図４は、演出表示装置２５の正面図である。図４に示すように、演出表示装置２５の表示領域Ｖには第１表示領域Ｖａと第２表示領域Ｖｂが設けられている。図４に示す例では、演出表示装置２５の表示領域Ｖの上部に第１表示領域Ｖａが比較的大きく設けられ、演出表示装置２５の表示領域Ｖの下部に第２表示領域Ｖｂが比較的小さく設けられている。第１表示領域Ｖａには、演出図柄表示部２５ａ等が設けられ、第２表示領域Ｖｂには、保留表示部２５ｂ、２５ｃ等が設けられている。
【００６７】
演出図柄表示部２５ａでは、演出図柄が変動表示するようになっている。図柄変動演出では、演出図柄が第１特別図柄表示部４３での第１特別図柄または第２特別図柄表示部４４での第２特別図柄の変動表示および停止表示に連動して表示される。つまり、演出表示装置２５は、第１特別図柄表示部４３および第２特別図柄表示部４４と同様に図柄表示装置として機能するものである。また、演出表示装置２５の表示領域Ｖのうち、演出図柄が変動表示する演出図柄表示部２５ａ、及び演出図柄表示部２５ａを除く表示部は、文字、図形、記号、キャラクタ（キャラクタ絵柄）等を含む種々の背景画像が表示される背景表示部（キャラクタ表示部）となっている。すなわち、本実施例では、背景表示部と演出図柄表示部２５ａとは、表示領域Ｖ上において、一部の表示領域又は全部の表示領域が重複している。尚、演出図柄表示部２５ａと背景表示部とを重複しないように完全に区画して設けてもよい。この演出図柄表示部２５ａおよび背景表示部によって図柄変動演出画面が構成される。前述のように、演出表示装置２５は、遊技盤２０（遊技領域２１）の中央に配置されているので、遊技者は通常、演出表示装置２５の表示領域Ｖでの表示内容（特に演出図柄）に注目して遊技を行うこととなる。
【００６８】
本実施例では、演出図柄表示部２５ａに表示される演出図柄として「１」〜「９」からなる３桁の数字図柄を用いており、演出図柄表示部２５ａには、左演出図柄、中演出図柄、右演出図柄の３個の図柄が表示される。演出図柄表示部２５ａは、各図柄表示部の配置方向と略直交する向き、この場合、上下方向（縦方向）に図柄変動方向が設定されている。
【００６９】
図柄変動演出では、第１特別図柄または第２特別図柄が変動表示を開始することにより、演出図柄が変動表示を開始する。そして、第１特別図柄または第２特別図柄が何れかの図柄で停止表示して図柄変動演出が終了すると、演出図柄は第１特別図柄または第２特別図柄の停止図柄に応じた態様（当り態様または外れ態様）で停止表示される結果報知演出が行われる。演出図柄では、３桁同一の図柄組合せが特別図柄の大当り図柄に対応する第１特定態様（大当り態様）となり、それ以外の図柄組合せが特別図柄の外れ図柄に対応する非特定態様（外れ態様）となる。
【００７０】
演出図柄の変動態様（演出パターン）および停止図柄の決定は、主制御部２００から送信される変動パターン指定コマンドおよび特別図柄情報指定コマンドに基づいてサブ制御部２６０によって行われるように構成されている。ここで、主制御部２００からサブ制御部２６０に向けて送信される変動パターン指定コマンドは、特別図柄の変動パターンを示すもので、具体的には、特別図柄の変動時間や、リーチ演出の有無等の演出内容を示している。主制御部２００は、特別図柄の当否判定結果（判定結果）に応じて特別図柄の変動パターンをランダムに決定する。そして、主制御部２００により決定された特別図柄の変動パターンに基づき、サブ制御部２６０が、演出図柄表示部２５ａで表示される演出図柄の演出パターンを決定する。また、主制御部２００からサブ制御部２６０に向けて送信される特別図柄情報指定コマンドは特別図柄の停止図柄を示すもので、主制御部２００は、特別図柄の当否判定結果に応じて特別図柄の停止図柄をランダムに決定する。そして、主制御部２００により決定された特別図柄の停止図柄を示す特別図柄情報指定コマンドに基づき、サブ制御部２６０が、演出図柄表示部２５ａで停止表示される演出図柄の停止図柄を決定する。
【００７１】
また、図４に示すように、演出表示装置２５の第２表示領域Ｖｂには、第１保留表示部２５ｂおよび第２保留表示部２５ｃが設けられている。第１保留表示部２５ｂは、第１特別図柄保留表示部４５と連動して表示され、第１特別図柄保留数に対応する数の丸図形「○」が表示される。第２保留表示部２５ｃは、第２特別図柄保留表示部４６と連動して表示され、第２特別図柄保留数に対応する数の丸図形「○」が表示される。つまり、保留表示部２５ｂ，２５ｃには、特別図柄保留表示部４５，４６と同様に、始動口２８，２９への遊技球の入球によって取得される特別図柄用判定値（入球情報）が主制御部２００のＲＡＭの所定領域（保留記憶領域）に記憶されていることを示す記憶情報が表示される。
【００７２】
本実施例の保留表示部２５ｂ，２５ｃでは、一番左側の丸図形「○」が最先に記憶された保留を示し、右側に向かって順番に新しく記憶された保留を示している。なお、特別図柄の保留数が変化するたびに、その変化後の保留数を示す「保留数指定コマンド」が主制御部２００からサブ制御部２６０に向けて送信され、演出表示装置２５の表示領域における特別図柄の保留表示は、その保留数指定コマンドに基づいてサブ制御部２６０および演出表示制御部２８０の制御下で行われる。
【００７３】
演出表示装置２５の表示領域Ｖでは、特別図柄の変動表示に伴う図柄変動演出の他にも、大当り遊技の進行に伴う大当り遊技演出などが行われる。大当り遊技演出としては、大当り遊技開始時に実行される大当り遊技開始演出（ファンファーレ演出）、大当り遊技中に実行されるラウンド演出、大当り遊技終了時に実行される大当り遊技終了演出（エンディング演出）等がある。これらの大当り遊技演出は、サブ制御部２６０が大当り遊技の進行に伴って主制御部２００から送信されるコマンドに基づいて実行する。
【００７４】
演出表示装置２５の表示領域Ｖでは、特別図柄変動遊技と大当り遊技の何れも実行されていない待機状態中に、デモ画像やデモ動画を表示するデモ演出（待機演出）が行われる。本実施例では、特別図柄変動遊技や大当り遊技が行われておらず、かつ、特別図柄保留数がゼロである状態が「待機状態（客待ち状態）」であり、「特別図柄変動遊技や大当り遊技が行われず、かつ、特別図柄保留数がゼロである場合」に、待機状態中であると判定する。本実施例では、待機状態中になったと判定されてから所定時間（本実施例では「３０秒」）が経過した時点からデモ演出を開始するように構成されている。なお、待機状態中になったと判定されてからのデモ演出が開始されるまでの時間の計時およびデモ演出の実行はサブ制御部２６０および演出表示制御部２８０の制御処理によって行われる。
【００７５】
次に、本実施例の遊技機１の電子制御装置について、図５に基づいて説明する。図５は、電子制御装置の概略構成を示すブロック図である。
【００７６】
図５に示すように、電子制御装置は、主制御部２００と、その主制御部２００に接続された副制御部２３０、２６０、２８０とを含んで構成されている。副制御部は、払出制御部（賞球制御部）２３０、サブ制御部２６０及び演出表示制御部２８０から構成される。主制御部２００は主制御基板２００ａを備え、副制御部２３０、２６０及び２８０は周辺制御基板として払出制御基板２３０ａ、サブ制御基板２６０ａ及び演出表示制御基板２８０ａをそれぞれ備えている。これらの各制御基板や、その他の基板（電源基板、中継基板、駆動基板、装飾基板、アンプ基板、演出ボタン基板など）は、遊技機１の裏面側に配置される。
【００７７】
各制御部２００、２３０、２６０、２８０には、図示しない主電源から電源が供給されている。また、電源立上げ時には、システムリセット信号が各制御部２００、２３０、２６０、２８０に送信される。なお、本実施例の遊技機１は、電源断時に主制御部２００及び払出制御部２３０に作動電圧を供給するバックアップ電源部（図示略）を備えており、電源断時にも主制御部２００及び払出制御部２３０のＲＡＭデータが保持される。
【００７８】
主制御部２００は、遊技の進行を司る主制御手段を構成するものであり、各副制御部２３０、２６０に処理内容を指示する指令信号（コマンドデータ）を送信し、各副制御部２３０、２６０、２８０は指令信号に基づいて各種制御を行うように構成されている。
【００７９】
主制御部２００を構成する主制御基板２００ａのＣＰＵ２００ｂは、ＣＰＵコア、内蔵ＲＡＭ（以下、単にＲＡＭともいう）、内蔵ＲＯＭ（以下、単にＲＯＭともいう）等を備えており、ＲＯＭに格納された制御プログラムにより、ＲＡＭをワークエリアとして遊技機１全体の作動制御（遊技の基本進行制御）を司る。また、主制御部２００は、ＣＰＵ２００ｂが主体となって、ＲＯＭに格納された当否判定プログラムにより特別図柄（第１特別図柄、第２特別図柄）の当否判定を行う当否判定手段を構成している。また、主制御部２００のＣＰＵ２００ｂは、特別図柄当否判定を実行する際に、ＲＯＭに格納された特別図柄の変動パターンテーブルから特定の変動パターンを決定する。なお、本実施例の主制御部２００のＣＰＵ２００ｂの制御周期は４ｍｓに設定されている。
【００８０】
主制御部２００には、盤面入力中継基板２０１と盤面出力中継基板２０２とが接続されている。盤面入力中継基板２０１には、普通図柄作動ゲート検知スイッチ２７ｓ、始動口検知スイッチ２８ｓ，２９ｓ、大入賞口検知スイッチ３２ｓ、アウト口検知スイッチ４７ｓが接続されており、これらの信号が主制御部２００に入力するように構成されている。盤面出力中継基板２０２には、普通図柄表示部４１、特別図柄表示部４３，４４、始動口ソレノイド２９ｃ、大入賞口ソレノイド３２ｃが接続されており、主制御部２００からの制御信号が出力される。
【００８１】
払出制御部２３０を構成する払出制御基板２３０ａは、主制御部２００のＣＰＵ２００ｂと同様の構成を有するＣＰＵ２３０ｂを備えている。払出制御部２３０には、発射制御部２５０、ＣＲユニット１３等が接続されている。主制御部２００から払出制御部２３０には、賞球払出を指示する賞球指示コマンド、遊技開始許可を指示する遊技開始許可信号、各種発射制御コマンド等のコマンドが送信される。各種発射制御コマンドには、球送り許可・禁止、発射許可・禁止、遊技開始許可等が含まれている。払出制御基板２３０ａのＣＰＵ２３０ｂは、主制御部２００からの賞球指示コマンドを受信すると、そのコマンドが示す賞球数に基づいて、遊技機１の裏面側に設けられた図示しない遊技球払出装置の払出モータを回転駆動することにより、指定された賞球数分の遊技球の払い出し（賞球払出）を行う。この遊技球の払い出し（賞球払出）は、遊技機１の裏面側上部に設けられた図示しない遊技球タンクに貯留された遊技球を、図示しない遊技球レールを介して遊技球払出装置に供給し、その供給された遊技球を遊技球払出装置の払出モータの回転駆動により排出することで、行われる。
【００８２】
サブ制御部２６０は、遊技の進行に伴って実行される各種演出を制御するサブ制御手段を構成しており、サブ制御基板２６０ａにはＣＰＵ２６０ｂや図示しないＲＯＭ、ＲＡＭ、入出力ポート等を有する演算回路構成要素とサウンドジェネレータが設けられており、入出力ポートにおいて主制御部２００に接続されている。サブ制御部２６０は、各種ランプ類による装飾表示、スピーカ１２ａ〜１２ｄから出力される効果音、演出表示装置２５による演出図柄の表示等を用いた演出制御を司るように構成されている。
【００８３】
主制御部２００からサブ制御部２６０には、特別図柄の変動表示に関連する各種図柄制御コマンド（変動パターン指定コマンド、特別図柄情報指定コマンド、図柄停止コマンドなど）、各種ランプ制御コマンド及び各種音声制御コマンドが送信される。主制御部２００から演出表示制御部２８０には、サブ制御部２６０を介して、演出図柄の表示制御を指示する各種図柄制御制御コマンドが送信される。そして、サブ制御部２６０には演出表示制御部２８０が接続されており、サブ制御部２６０から演出表示制御部２８０には、主制御部２００からの各種図柄制御コマンドに応じた演出図柄の表示（図柄変動演出）を実現するための演出表示制御を指示する各種演出表示制御コマンドが同時に送信される。
【００８４】
演出表示制御部２８０の演出表示制御基板２８０ａには、ＣＰＵ２８０ｂ、ＲＡＭ、ＲＯＭ、入出力ポート、ＶＤＰ（ビデオディスプレイプロセッサ）等を有する演算回路構成要素（図示略）が設けられ、入出力ポートにおいてサブ制御部２６０に接続されており、演出表示制御部２８０には演出表示装置２５が接続されている。また、演出表示制御基板２８０ａには、図示しない画像ＲＯＭが設けられており、その画像ＲＯＭには、演出表示装置２５で表示される演出用図柄の画像データ（前述した変動演出に関する画像データなど）が複数格納されている。
【００８５】
その他、サブ制御部２６０には、装飾駆動基板２６１を介して各種ＬＥＤ・ランプ２６２とアンプ基板２６３が接続されている。各種ＬＥＤ・ランプ２６２には、枠ランプ部５ｃが含まれている。アンプ基板２６３には、遊技の進行に対応して各種サウンド、音声等を出力するスピーカ１２ａ〜１２ｄが接続されている。さらに、サブ制御部２６０には、演出ボタン基板２６４を介してメニューボタン８および演出ボタン９（十字キー９ｂ，チャンスボタン９ａ）が接続されており、メニューボタン８あるいは演出ボタン９の操作が検知されると、これらのボタン８，９が操作されたことを示す操作信号が入力する。サブ制御部２６０は、主制御部２００やメニューボタン８、演出ボタン９（十字キー９ｂ，チャンスボタン９ａ）からの各種指令（変動パターン指定コマンドの受信、演出ボタン９の操作信号の入力など）に基づいて、各種ＬＥＤ・ランプの点灯・点滅パターンの選択・実行処理や、スピーカ１２ａ〜１２ｄから出力される効果音データの選択・出力処理や、演出表示装置２５での図柄変動演出の実行パターン（演出パターン）の選択処理や、その実行パターンに基づく図柄変動演出の実行処理等を行う。
【００８６】
また、サブ制御部２６０には、スピーカ１２ａ〜１２ｄから出力される音量を調整するための音量設定スイッチ２６５が接続されている。音量設定スイッチ２６５は、遊技盤２０の裏側のサブ制御部２６０（サブ制御基板２６０ａ）に設けられており、施錠装置５ｂを開錠して前面枠５を開放状態とすることで操作可能となる。このため、音量設定スイッチ２６５は、遊技ホール店員によって操作可能となっている。
【００８７】
図６（ａ）は本実施例の音量設定スイッチ２６５の正面図であり、図６（ｂ）は音量設定スイッチ２６５で調整可能な音量の値を示している。図６（ａ）に示すように、本実施例の音量設定スイッチ２６５はロータリースイッチとして構成されており、回転操作によってスイッチ位置を変更することで、音量設定値を変更可能となっている。
【００８８】
本実施例の音量設定スイッチ２６５は、「０」、「１」、「２」、「３」、「４」、「５」、「６」、「７」、「８」、「９」、「Ａ」、「Ｂ」からなる１２箇所のスイッチ位置が設けられている。そして、音量設定スイッチ２６５に設けられた黒丸に対応するスイッチ位置に基づいて現在の音量設定値が設定される。音量設定値は、サブ制御部２６０のＲＡＭの所定領域に記憶される。サブ制御部２６０のＲＡＭに記憶された音量設定値のデータは、電源断時にも保持されるようになっている。このため、本実施例では、電源断時にバックアップ電源部（図示略）からサブ制御部２６０にも電源供給が行われるようになっている。
【００８９】
図６（ｂ）に示すように、本実施例では６段階の音量が設けられている。具体的には、最小音量（無音）を「０」とし、最大音量を「５」として、「０」、「１」、「２」、「３」、「４」、「５」の６段階の音量が設定されている。また、「６」は「０」と同一音量であり、「７」は「１」と同一音量であり、「８」は「２」と同一音量であり、「９」は「３」と同一音量であり、「Ａ」は「４」と同一音量であり、「Ｂ」は「５」と同一音量である。本実施例では、音量設定スイッチ２６５のスイッチ位置が「０」、「１」、「２」、「３」、「４」、「５」の何れかである場合は後述する演出環境設定処理での音量設定が許可され、音量設定スイッチ２６５のスイッチ位置が「６」、「７」、「８」、「９」、「Ａ」、「Ｂ」の何れかである場合は演出環境設定処理での音量設定が禁止されるようになっている。
【００９０】
次に、本実施例の遊技機１で実行可能な演出環境設定処理について説明する。演出環境設定処理は、遊技機１が稼働しているとき（電源ＯＮのとき）に外部からの指示入力に基づいて実行可能な演出環境に関する設定処理であり、例えば「音量設定」、「枠ランプ設定」、「液晶画面設定」、「キャラクタ設定」といった演出環境の設定処理を挙げることができる。「音量設定」ではスピーカ１２ａ〜１２ｄから出力される効果音等の音量を調整することができ、「枠ランプ設定」では枠ランプ部５ｃに設けられたＬＥＤの輝度（明るさ）を調整することができ、「液晶画面設定」では演出表示装置２５（液晶表示装置）の輝度（明るさ）およびコントラストを調整することができ、「キャラクタ設定」では演出表示装置２５の表示領域Ｖで行われる図柄変動演出で登場するキャラクタの種類を設定することができる。また、本実施例の演出環境設定処理では、所定の初期化指示が行われることに基づいて、各演出環境の設定値（演出環境設定値）を初期値に戻す「リセット（初期化）」を行うことが可能となっている。なお、演出環境設定処理は、サブ制御部２６０および演出表示制御部２８０の制御下で実現される。
【００９１】
図７、図８は、演出環境設定処理の画面表示例を示している。図７（ａ）は演出環境設定処理のメニュー選択画面を示し、図７（ｂ）は音量設定画面を示し、図７（ｃ）は枠ランプ設定画面を示し、図８（ａ）は液晶画面設定画面を示し、図８（ｂ）はキャラクタ設定画面を示し、図８（ｃ）はリセット画面を示している。本実施例の演出環境設定処理は、演出表示装置２５の表示領域Ｖの表示内容に従って演出ボタン９を操作することで、各種演出環境の設定を行うことが可能となっている。演出ボタン９は遊技機１の前面側に設けられているので、図７、図８に示す演出環境設定処理は、主に遊技者が実行することが可能となっている。また、遊技ホール店員が演出ボタン９を操作して図７、図８に示す演出環境設定処理を実行することも、もちろん可能である。
【００９２】
図７（ａ）に示すように、演出環境設定処理のメニュー選択画面では、演出表示装置２５の表示領域Ｖに操作指示部２５ｄおよび項目選択部２５ｅが表示される。本実施例では、特別図柄の図柄変動遊技（図柄変動演出）が行われていないときにメニューボタン８が操作されることで、図７（ａ）に示すメニュー選択画面の表示が行われる。
【００９３】
操作指示部２５ｄには、表示内容を示す文字情報（図７（ａ）では「メニュー選択」）と、演出ボタン９（十字キー９ｂ，チャンスボタン９ａ）を模した画像が表示される。項目選択部２５ｅでは、実行可能な演出環境設定処理の一覧表示が行われる。図７（ａ）に示す例では、項目選択部２５ｅに「音量設定」、「枠ランプ設定」、「液晶画面設定」、「キャラクタ設定」、「リセット（初期化）」からなる５つの項目（演出環境設定項目）が表示されている。そして、項目選択部２５ｅで演出環境設定処理の項目表示が行われている状態で、十字キー９ｂを上下方向に操作することで、選択候補の演出環境設定処理を変更することができ、チャンスボタン９ａを操作することで、選択候補の演出環境設定処理を決定することができる。
【００９４】
図７（ａ）では、四角形の枠線で囲まれた「音量設定」が選択候補となっている演出環境設定処理を示している。また、上述のように、音量設定スイッチ２６５のスイッチ位置が「０」、「１」、「２」、「３」、「４」、「５」の何れかである場合は演出環境設定処理として音量調整が選択可能であり、音量設定スイッチ２６５のスイッチ位置が「６」、「７」、「８」、「９」、「Ａ」、「Ｂ」の何れかである場合は演出環境設定処理として音量調整が選択不能となる。このため、音量調整が選択不能な場合には、項目表示部２５ｆに音量調整の項目を非表示としたり反転表示としたり、あるいは音量調整の項目に対して「×」印の付すなどして、音量調整が選択不能であることを報知することができる。なお、メニューボタン８の操作に基づいてメニュー選択画面（図７（ａ））の表示が開始された後、演出ボタン９（十字キー９ｂ，チャンスボタン９ａ）が操作されずに所定時間が経過するか、メニューボタン８が再度操作されると、演出環境設定処理の項目表示は終了する。
【００９５】
メニュー選択画面（図７（ａ））で何れかの項目が決定されると、演出表示装置２５の表示領域Ｖに、図７（ｂ）、図７（ｃ）、図８（ａ）、図８（ｂ）、図８（ｃ）の何れかに示す演出環境設定画面が表示される。なお、図７（ｂ）、図７（ｃ）、図８（ａ）、図８（ｂ）、図８（ｃ）の何れかに示す演出環境設定画面が表示された後、演出ボタン９（十字キー９ｂ，チャンスボタン９ａ）が操作されずに所定時間が経過するか、メニューボタン８が操作されると、演出環境設定画面の表示は終了して、図７（ａ）に示す演出環境設定処理の項目表示（メニュー表示）に戻る。
【００９６】
図７（ｂ）に示す音量設定画面では、演出表示装置２５の表示領域Ｖに操作指示部２５ｄおよび音量設定部２５ｆが表示される。音量設定部２５ｆには、音量設定値を変更するためのスライドバーが表示されている。図７（ｂ）に示す例では、音量設定部２５ｆに音量を調整するための「０（最小音量）」〜「５（最大音量）」の６段階のスライドバー位置が設けられており、スピーカ１２ａ〜１２ｄの出力音量を６段階に設定可能となっている。図７（ｂ）の音量設定画面では、上述の音量設定スイッチ２６５で設定した音量設定値が初期値（図７（ｂ）に示す例では「３」）となっており、十字キー９ｂの操作によりスライドバー位置を変更することで音量設定値を所望の値に変更可能となっている。十字キー９ｂの操作に基づいて所望の音量設定値に調整した後、チャンスボタン９ａの操作に基づいて音量設定値を決定することができる。演出ボタン９の操作に基づいて設定された音量設定値は、サブ制御部２６０のＲＡＭの所定領域に記憶される。
【００９７】
図７（ｃ）に示す枠ランプ設定画面では、演出表示装置２５の表示領域Ｖに操作指示部２５ｄおよび枠ランプ設定部２５ｇが表示される。枠ランプ設定部２５ｇには、枠ランプ部５ｃの輝度設定値を変更するためのスライドバーが表示されている。図７（ｃ）に示す例では、枠ランプ設定部２５ｇに輝度を調整するための「０（最小輝度）」〜「５（最大輝度）」の６段階のスライドバー位置が設けられており、枠ランプ５ｃの輝度を６段階に設定可能となっている。図７（ｃ）に示す枠ランプ設定画面では、「３」が初期値となっており、十字キー９ｂの操作によりスライドバー位置を変更することで枠ランプ５ｃの輝度設定値を所望の値に変更可能となっている。十字キー９ｂの操作に基づいて所望の輝度設定値に調整した後、チャンスボタン９ａの操作に基づいて枠ランプ部５ｃの輝度設定値を決定することができる。演出ボタン９の操作に基づいて設定された枠ランプ設定値（輝度設定値）は、サブ制御部２６０のＲＡＭの所定領域に記憶される。
【００９８】
図８（ａ）に示す液晶画面設定画面では、演出表示装置２５の表示領域Ｖに操作指示部２５ｄおよび液晶画面設定部２５ｈが表示される。液晶画面設定部２５ｈには、演出表示装置２５（液晶表示装置）の輝度設定値およびコントラスト設定値を変更するためのスライドバーが表示されている。図８（ａ）に示す例では、液晶画面設定部２５ｈに輝度設定値を調整するための「０（最小輝度）」〜「５（最大輝度）」の６段階のスライドバー位置と、コントラスト設定値を調整するための「０（最小コントラスト）」〜「５（最大コントラスト）」の６段階のスライドバー位置とが設けられており、演出表示装置２５の表示領域Ｖの輝度設定値およびコントラスト設定値をそれぞれ６段階に調整可能となっている。図８（ａ）に示す液晶画面設定画面では、輝度設定値およびコントラスト設定値の初期値がそれぞれ「３」となっており、十字キー９ｂの操作によりスライドバー位置を変更することで演出表示装置２５の輝度設定値およびコントラスト設定値を所望の値に変更可能となっている。十字キー９ｂの操作に基づいて所望の輝度設定値およびコントラスト設定値に調整した後、チャンスボタン９ａの操作に基づいて演出表示装置２５の輝度設定値およびコントラスト設定値を決定することができる。演出ボタン９の操作に基づいて設定された液晶画面設定値（輝度設定値、コントラスト設定値）は、サブ制御部２６０のＲＡＭの所定領域に記憶される。
【００９９】
図８（ｂ）に示すキャラクタ設定画面では、演出表示装置２５の表示領域Ｖに操作指示部２５ｄおよびキャラクタ設定部２５ｉが表示される。キャラクタ設定部２５ｉには、図柄変動演出にて選択可能なキャラクタの一覧が表示されている。図８（ｂ）に示す例では、キャラクタＡ、キャラクタＢ、キャラクタＣ、キャラクタＤからなる４種類のキャラクタが設定可能となっている。図８（ｂ）に示すキャラクタ設定画面では、初期値が「キャラクタＡ」となっており、十字キー９ｂの操作に基づいて選択対象のキャラクタを変更することができる。なお、図８（ｂ）では、斜線が付された部分が選択対象を表しており、「キャラクタＡ」が選択対象となっている。十字キー９ｂの操作に基づいて所望のキャラクタを選択した後、チャンスボタン９ａの操作に基づいて所望のキャラクタをキャラクタ設定値として決定することができる。演出ボタン９の操作に基づいて設定されたキャラクタ設定値は、サブ制御部２６０のＲＡＭの所定領域に記憶される。
【０１００】
図８（ｃ）に示すリセット画面では、演出表示装置２５の表示領域Ｖに操作指示部２５ｄおよびリセット指示部２５ｊが表示される。リセット指示部２５ｊには、「演出環境をリセットしますか？」との文字情報と、リセットの指示（初期化指示）を実行する「はい」およびリセットの指示をキャンセルする「いいえ」からなる初期化指示情報が表示される。リセット画面では、十字キー９ｂの操作に基づいて選択対象の初期化指示情報を「はい」または「いいえ」の何れかに切り替え可能となっており、チャンスボタン９ａの操作に基づいて各種演出環境設定値を初期値に変更するか否か（初期化指示を行うか否か）を決定することができる。なお、図８（ｃ）では、斜線が付された部分が選択対象を表しており、「いいえ」が選択対象となっている。
【０１０１】
図８（ｃ）に示すリセット画面で「はい」（初期化指示を行う）を選択すると、図７（ｂ）の音量設定画面で設定した音量設定値、図７（ｃ）の枠ランプ設定画面で設定した枠ランプ設定値、図８（ａ）の液晶画面設定画面で設定した液晶画面設定値、図８（ｂ）のキャラクタ設定画面で設定したキャラクタ設定値がそれぞれ初期値に変更される。このように、本実施例の遊技機１では、操作者（主に遊技者）の意思に基づいて、手動で各種演出環境を初期化することが可能となっている。また、図８（ｃ）に示すリセット画面で「いいえ」（初期化指示を行わない）を選択すると、図７（ａ）に示すメニュー選択画面に戻る。以上の演出環境設定処理により設定された各種演出環境（演出環境設定画面による設定内容）に基づいて、スピーカ１２ａ〜１２ｄの音出力、枠ランプ５ｃ（ＬＥＤ）の発光、演出表示装置２５の表示等に係る制御が行われる。
【０１０２】
本実施例の遊技機１では、特別図柄の図柄変動遊技が行われていない状態で所定の初期化条件が成立することで、各種演出環境が自動的に初期化される。所定の初期化条件は、遊技が行われない状態が継続し、遊技者が遊技機１での遊技を中断したと判断できる場合に成立する。本実施例では、デモ演出が開始されてから所定時間（例えば１時間）が経過すると、初期化条件が成立するようにしている。つまり、デモ演出が開始されてからの経過時間を計測し、この経過時間が所定時間（１時間）に到達したと判定された場合に、各種演出環境が初期化され、演出環境設定値が初期値に変更される。
【０１０３】
また、本実施例の遊技機１では、特別図柄の変動表示が行われなくなってから所定時間（１時間）が経過しても（初期化条件が成立しても）、その遊技機１で遊技者が遊技を再開する可能性があると判断される場合には、各種演出環境を初期化しないようになっている。本実施例では、遊技状態が遊技者に有利な有利状態となっている場合に、遊技者が遊技を再開する可能性があると判断するようにしている。本実施例では、確率変動機能、変動時間短縮機能および開放時間延長機能の各機能が作動している確変遊技状態や変動時間短縮機能および開放時間延長機能の各機能が作動している時短遊技状態を「有利状態」とし、確率変動機能、変動時間短縮機能および開放時間延長機能の各機能の何れもが作動していない通常遊技状態を「非有利状態」としている。
【０１０４】
以上のことから、本実施例の遊技機１では、所定の初期化条件の成立時の遊技状態が非有利状態であるか有利状態であるかによって、各種演出環境が初期化されるか否かが決定される。具体的には、非有利状態（通常遊技状態）において、特別図柄の図柄変動遊技が行われていない状態で所定の初期化条件が成立すると、各種演出環境が初期化され、演出環境設定値が初期値に変更される。また、有利状態（確変遊技状態または時短遊技状態）において、特別図柄の図柄変動遊技が行われていない状態で所定の初期化条件が成立すると、各種演出環境が初期化されない。
【０１０５】
次に、本実施例の遊技機１の作動をフローチャートに基づいて説明する。図９は、主制御部２００の制御下で行われるメインジョブの一例である。図９に示すメインジョブは、主制御基板２００ａに実装されたＣＰＵ２００ｂが、図示しないＲＯＭ（ＣＰＵ２００ｂの内蔵ＲＯＭまたは主制御基板２００ａに実装されるＲＯＭ）に格納されたプログラムに従って実行するもので、電源投入処理（Ｓ１００）の後、遊技開始処理（Ｓ２００）、普通図柄遊技処理（Ｓ３００）、普通電動役物遊技処理（Ｓ４００）、特別図柄遊技処理（Ｓ５００）、大当り遊技処理（Ｓ６００）の各処理が、タイマリセットされる毎に繰り返し実行される。電源断発生処理（Ｓ５０）は、停電等によって電源断が発生した場合に、使用レジスタやスタックポインタの保存、払出モータの停止等が行われ、システムリセットが発生した場合に電源投入処理（Ｓ１００）に移るようになっている。
【０１０６】
電源投入処理（Ｓ１００）は、電源投入時と電源断発生後の復電時に行われるものであり、電源投入時にはＲＡＭ初期化処理等が行われ、電源断復帰時には電源断時の遊技状態に復帰させるための復帰設定等が行われ。遊技開始処理（Ｓ２００）では、各種スイッチ状態の検知、各種判定値（乱数カウンタ）の更新、賞球払出制御等が行われる
普通図柄遊技処理（Ｓ３００）では、まず、普通図柄当否判定を行って、普通図柄表示部４１（図３参照）にて普通図柄を当り普通図柄の表示態様で停止表示させるか、外れ普通図柄の表示態様で停止表示させるかを決定する。ここで、前述したように、本実施例における普通図柄当否判定は、第２始動口２９の開放時間を延長させる開放時間延長機能（および変動時間短縮機能）の作動状態に応じて、当りとなる確率が異なっており、開放時間延長機能（および変動時間短縮機能）の作動時の方が、開放時間延長機能（および変動時間短縮機能）の非作動時に比べ当りとなる確率が高くなっている。
【０１０７】
次に、普通図柄当否判定の結果が得られたら、普通図柄の変動時間を設定し、その変動時間に従って普通図柄の変動表示を開始する。そして、変動時間が経過すると、決定しておいた表示態様で普通図柄を停止表示させ、普通図柄が当り普通図柄の表示態様で停止表示された場合には、普通電動役物の作動を開始させる（第２始動口２９を開放状態とする）。普通図柄遊技処理では、以上のようにして、普通図柄の変動表示および停止表示を行い、普通図柄が当り普通図柄の表示態様で停止表示された場合には、第２始動口２９を作動させる処理を行う。第２始動口２９が作動すると、一対の翼片部２９ａが左右に開動作して、第２始動口２９が開放状態となる。
【０１０８】
普通電動役物遊技処理（Ｓ４００）では、第２始動口２９を開放状態に維持する開放時間が経過したか否かを判定し、開放時間が経過していない場合には、第２始動口２９に規定数の入球があったか否かを判定する。開放状態にある第２始動口２９に規定数の入球があったと判定されるか、開放状態にある第２始動口２９の開放時間が経過していると判定された場合には、一対の翼片部２９ａが閉動作して、第２始動口２９は通常状態（閉鎖状態）となる。
【０１０９】
次に、特別図柄遊技処理（Ｓ５００）を図１０〜図１２のフローチャートに基づいて説明する。まず、図１０（ａ）に示すように、始動口入賞処理を行う（Ｓ５０１）。ここで、始動口入賞処理（Ｓ５０１）について図１１のフローチャートに基づいて説明する。
【０１１０】
まず、第１始動口２８ａに遊技球が入球したか否かを判定し（Ｓ５０１ａ）、第１始動口２８ａに遊技球が入球していないと判定された場合には（Ｓ５０１ａ：ＮＯ）、Ｓ５０１ｄの処理に移行する。一方、第１始動口２８ａに遊技球が入球したと判定された場合には（Ｓ５０１ａ：ＹＥＳ）、第１特別図柄保留数が４未満であるか否かを判定する（Ｓ５０１ｂ）。この結果、第１特別図柄保留数が４未満でない（４以上である）と判定された場合には（Ｓ５０１ｂ：ＮＯ）、Ｓ５０１ｄの処理に移行し、第１特別図柄保留数が４未満であると判定された場合には（Ｓ５０１ｂ：ＹＥＳ）、第１特別図柄用判定値を取得してＲＡＭの所定領域に記憶する（Ｓ５０１ｃ）。第１特別図柄用判定値は、第１特別図柄当否判定値、第１図柄判定値、第１リーチ判定値などからなる。これにより、第１特別図柄保留数が１増加する。
【０１１１】
次に、第２始動口２９に遊技球が入球したか否かを判定し（Ｓ５０１ｄ）、第２始動口２９に遊技球が入球していないと判定された場合には（Ｓ５０１ｄ：ＮＯ）。始動口入賞処理を終了する。一方、第２始動口２９に遊技球が入球したと判定された場合には（Ｓ５０１ｄ：ＹＥＳ）、第２特別図柄保留数が４未満であるか否かを判定する（Ｓ５０１ｅ）。この結果、第２特別図柄保留数が４未満でない（４以上である）と判定された場合には（Ｓ５０１ｅ：ＮＯ）、始動口入賞処理を終了し、第２特別図柄保留数が４未満であると判定された場合には（Ｓ５０１ｅ：ＹＥＳ）、第２特別図柄用判定値を取得してＲＡＭの所定領域に記憶する（Ｓ５０１ｆ）。第２特別図柄用判定値は、第２特別図柄当否判定値、第２図柄判定値、第２リーチ判定値などからなる。これにより、第２特別図柄保留数が１増加する。
【０１１２】
次に、図１０（ａ）に戻り、大当り遊技中であるか否か（大当り遊技フラグがＯＮであるか否か）を判定する（Ｓ５０２）。この結果、大当り遊技中である（大当り遊技フラグがＯＮである）と判定された場合には（Ｓ５０２：ＹＥＳ）、特別図柄遊技処理を終了し、大当り遊技中でない（大当り遊技フラグがＯＦＦである）と判定された場合には（Ｓ５０２：ＮＯ）、特別図柄（第１特別図柄または第２特別図柄）が変動中であるか否かを判定する（Ｓ５０３）。
【０１１３】
この結果、特別図柄が変動中であると判定された場合には（Ｓ５０３：ＹＥＳ）、後述のＳ５１０の処理に移行し、特別図柄が変動中でないと判定された場合には（Ｓ５０３：ＮＯ）、特別図柄の停止表示時間中であるか否かを判定する（Ｓ５０４）。ここで、特別図柄の停止表示時間とは、停止表示された特別図柄を確定させる時間のことであり、本実施例では、特別図柄の停止表示時間を「０．６秒」としている。そして、特別図柄の停止表示時間中であると判定された場合には（Ｓ５０４：ＹＥＳ）、後述のＳ５１４の処理に移行し、特別図柄の停止表示時間中でないと判定された場合には（Ｓ５０４：ＮＯ）、第２特別図柄用判定値が記憶されているか否か、すなわち上述のＳ５０１の処理で第２始動口２９への遊技球入球に基づき取得・記憶された第２特別図柄用判定値が存在しているか否かを判定する（Ｓ５０６）。この結果、第２特別図柄用判定値が記憶されていないと判定された場合には（Ｓ５０６：ＮＯ）、第１特別図柄保留数がゼロであるか否かを判定する（Ｓ５０７）。
【０１１４】
そして、第１特別図柄保留数がゼロでないと判定された場合には（Ｓ５０７：ＮＯ）、第１特別図柄変動表示処理を行う（Ｓ５０８）。また、Ｓ５０６の判定処理で第２特別図柄用判定値が記憶されていると判定された場合には（Ｓ５０６：ＹＥＳ）、第２特別図柄変動表示処理を行う（Ｓ５０９）。
【０１１５】
ここで、第１特別図柄変動表示処理（Ｓ５０８）と第２特別図柄変動表示処理（Ｓ５０９）を図１２のフローチャートに基づいて説明する。第１特別図柄変動表示処理と第２特別図柄変動表示処理は同一内容の処理である。すなわち、図１２における「特別図柄」が、第１特別図柄変動表示処理では「第１特別図柄」となり、第２特別図柄変動表示処理では「第２特別図柄」となるだけで、その他は同一である。以下では、第１特別図柄変動表示処理（Ｓ５０８）について説明し、第２特別図柄変動表示処理（Ｓ５０９）の説明を省略する。
【０１１６】
まず、主制御部２００のＲＡＭの所定領域（保留記憶領域）に記憶されている特別図柄当否判定値（始動口２８，２９への遊技球入球時に取得された当否判定値）を読み出し（Ｓ５０８ａ）、特別図柄当否判定を行う（Ｓ５０８ｂ）。特別図柄当否判定では、確率変動機能が作動中（確変遊技中）の場合には、高確率当否判定テーブルを用いて、判定結果が大当りとなる確率を高くした状態（高確率状態）で当否判定を行い、確率変動機能が作動中でない（通常遊技中）と判定された場合には、通常確率当否判定テーブルを用いて、判定結果が大当りとなる確率を低くした状態（低確率状態）で当否判定を行う。
【０１１７】
次に、特別図柄当否判定（Ｓ５０８ｂ）の結果が大当りであるか否かを判定する（Ｓ５０８ｃ）。この結果、大当りであると判定された場合には（Ｓ５０８ｃ：ＹＥＳ）、大当り時変動パターンテーブル設定処理を行う（Ｓ５０８ｄ）。一方、大当りでないと判定された場合には（Ｓ５０８ｃ：ＮＯ）、外れ時変動パターンテーブル設定処理を行う（Ｓ５０８ｅ）。
【０１１８】
次に、変動パターン判定値を取得するとともに、主制御部２００のＲＡＭの所定領域に記憶されている図柄判定値（始動口２８，２９への遊技球入球時に取得された図柄判定値）を読み出す（Ｓ５０８ｆ）。
【０１１９】
次に、特別図柄の変動パターンと停止図柄を決定する（Ｓ５０８ｇ）。特別図柄の変動パターンは、Ｓ５０８ｆで取得した変動パターン判定値を用いて、Ｓ５０８ｄまたはＳ５０８ｅの処理で設定した変動パターンテーブルから特定の変動パターンを選択する。なお、Ｓ５０８ｄ、Ｓ５０８ｅの処理で設定される各変動パターンテーブルには、変動パターン判定値と変動パターンとが関連付けられており、Ｓ５０８ｆで取得した変動パターン判定値に対応する変動パターンが、今回使用する変動パターンとして決定される。また、特別図柄の停止図柄は、特別図柄当否判定の結果が大当りの場合には、Ｓ５０８ｆで読み出した図柄判定値を用いて、主制御部２００の所定領域に記憶されている図柄決定テーブルに設定された大当り図柄に決定し、特別図柄当否判定の結果が外れの場合には、外れ図柄に決定する。図柄決定テーブルについても、変動パターンテーブルと同様に、図柄判定値と各大当り図柄とが関連付けられており、Ｓ５０８ｆで読み出した図柄判定値に対応する大当り図柄が、今回停止表示する大当り図柄として決定される。
【０１２０】
次に、Ｓ５０８ｇの処理で決定された停止図柄および変動パターンに従って、第１特別図柄表示部４３または第２特別図柄表示部４４で特別図柄の変動表示を開始し（Ｓ５０８ｈ）、特別図柄保留数を１減算し（Ｓ５０８ｉ）、サブ制御部２６０に図柄変動開始時コマンドを送信する（Ｓ５０８ｊ）。「図柄変動開始時コマンド」には、変動パターン指定コマンド、特別図柄情報指定コマンド、保留数指定コマンドが含まれる。変動パターン指定コマンドは、Ｓ５０８ｇの処理で決定された特別図柄の変動パターンを指定するコマンドであり、特別図柄情報指定コマンドは、同じくＳ５０８ｇの処理で決定された特別図柄の停止図柄を指定するコマンドである。保留数指定コマンドは、特別図柄の変動表示開始後の特別図柄保留数を指定するコマンドである。この図柄変動開始時コマンドをサブ制御部２６０に送信すると、これらコマンドを受信したサブ制御部２６０および演出表示制御部２８０の制御下で図柄変動演出（演出図柄の変動表示）が開始される。以上までが、特別図柄の変動表示を開始する際の処理である。
【０１２１】
次に、図１０（ａ）に戻り、上記Ｓ５０３で特別図柄（第１特別図柄または第２特別図柄）が変動中であると判定された場合には（Ｓ５０３：ＹＥＳ）、変動中の特別図柄の変動表示時間が経過しているか否かを判定する（Ｓ５１０）。この結果、特別図柄の変動表示時間が経過していないと判定された場合には（Ｓ５１０：ＮＯ）、特別図柄遊技処理を終了し、特別図柄の変動表示時間が経過していると判定された場合には（Ｓ５１０：ＹＥＳ）、停止時間設定処理を行い（Ｓ５１１）、特別図柄を停止表示させ（Ｓ５１２）、特別図柄の変動表示が停止したことを示す図柄停止コマンドをサブ制御部２６０に送信する（Ｓ５１３）。
【０１２２】
次に、特別図柄の停止表示時間が経過したか否かを判定する（Ｓ５１４）。この結果、特別図柄の停止表示時間が経過していないと判定された場合には（Ｓ５１４：ＮＯ）、特別図柄遊技処理を終了し、特別図柄の停止表示時間が経過していると判定された場合には（Ｓ５１４：ＹＥＳ）、第１特別図柄表示部４３または第２特別図柄表示部４４に停止表示された特別図柄の停止図柄が大当り図柄である否かを判定する（図１０（ｂ）のＳ５１５）。
【０１２３】
この結果、特別図柄の停止図柄が大当り図柄であると判定された場合には（Ｓ５１５：ＹＥＳ）、大当り遊技開始時の遊技状態を主制御部２００のＲＡＭの所定領域に記憶する（Ｓ５１６）。「大当り遊技開始時の遊技状態」には、その時点で停止表示された大当り図柄の種類やその時点での遊技状態フラグ（変動短縮フラグ、開放延長フラグ）の設定状態が含まれている。
【０１２４】
次に、大当り遊技フラグをＯＮに設定する（Ｓ５１７）。これにより、大当り遊技が開始される。そして、大当り遊技が開始したことを示す大当り遊技開始コマンドをサブ制御部２６０に送信する（Ｓ５１８）。大当り遊技開始コマンドは大当り遊技の種類に応じて設けられており、このコマンドをサブ制御部２６０が受信すると、大当り遊技の種類に応じた大当り遊技開始演出（ファンファーレ演出）が行われる。
【０１２５】
次に、確変フラグがＯＮに設定されているか否かを判定する（Ｓ５１９）。この結果、確変フラグがＯＮに設定されていないと判定された場合には（Ｓ５１９：ＮＯ）、Ｓ５２１の判定処理に移行し、確変フラグがＯＮに設定されていると判定された場合には（Ｓ５１９：ＹＥＳ）、確変フラグをＯＦＦに設定する（Ｓ５２０）。これにより、大当り遊技の開始に伴い、確率変動機能が作動を停止する。
【０１２６】
次に、変動短縮フラグがＯＮに設定されているか否かを判定する（Ｓ５２１）。この結果、変動短縮フラグがＯＮに設定されていないと判定された場合には（Ｓ５２１：ＮＯ）、特別図柄遊技処理を終了し、変動短縮フラグがＯＮに設定されていると判定された場合には（Ｓ５２１：ＹＥＳ）、変動短縮フラグをＯＦＦに設定し（Ｓ５２２）、開放延長フラグをＯＦＦに設定する（Ｓ５２３）。これにより、大当り遊技の開始に伴い、変動時間短縮機能および開放時間延長機能が作動を停止する。
【０１２７】
次に、上記Ｓ５１５の判定処理で、第１特別図柄表示装置６１または第２特別図柄表示装置６２に停止表示された特別図柄の停止図柄が大当り図柄でないと判定された場合（外れ図柄の場合）には（Ｓ５１５：ＮＯ）、変動短縮フラグがＯＮであるか否かを判定する（Ｓ５２４）。この結果、変動短縮フラグがＯＮでないと判定された場合には（Ｓ５２４：ＮＯ）、特別図柄遊技処理を終了する。一方、変動短縮フラグがＯＮであると判定された場合には（Ｓ５２４：ＹＥＳ）、変動短縮カウンタから「１」を減算する（Ｓ５２５）。
【０１２８】
そして、Ｓ５２５で「１」を減算した変動短縮カウンタが「ゼロ」であるか否かを判定する（Ｓ５２６）。この結果、変動短縮カウンタが「ゼロ」でないと判定された場合には（Ｓ５２６：ＮＯ）、特別図柄遊技処理を終了し、変動短縮カウンタが「ゼロ」であると判定された場合には（Ｓ５２６：ＹＥＳ）、変動短縮フラグをＯＦＦに設定し（Ｓ５２７）、さらに開放延長フラグをＯＦＦに設定する（Ｓ５２８）。
【０１２９】
これにより、変動時間短縮機能および開放時間延長機能が作動を停止する。そして、変動時間短縮機能および開放時間延長機能が作動しない遊技状態であることを示す遊技状態指定コマンドを、サブ制御部２６０に送信する（Ｓ５２９）。この遊技状態指定コマンドを受けたサブ制御部２６０では、変動時間短縮機能および開放時間延長機能が非作動の状態（通常状態）である旨を示す文字やキャラクタや背景等を演出表示装置２５の表示領域Ｖに表示する処理を行う。
【０１３０】
次に、大当り遊技処理（Ｓ６００）について図１３のフローチャートに基づいて説明する。まず、大当り遊技中であるか否か（大当り遊技フラグがＯＮであるか否か）を判定する（Ｓ６０１）。この結果、大当り遊技中でない（大当り遊技フラグがＯＦＦである）と判定された場合には（Ｓ６０１：ＮＯ）、大当り遊技処理を終了し、大当り遊技中である（大当り遊技フラグがＯＮである）と判定された場合には（Ｓ６０１：ＹＥＳ）、大入賞口３２が開放中であるか否かを判定する（Ｓ６０２）。この結果、大入賞口３２が開放中であると判定された場合には（Ｓ６０２：ＹＥＳ）、大入賞口３２の開放時間が経過したか否かを判定し（Ｓ６０３）、大入賞口３２の開放時間が経過していないと判定された場合には（Ｓ６０３：ＮＯ）、大入賞口３２に規定入賞数の入賞があったか否か（規定数の遊技球が入球したか否か）を判定する（Ｓ６０４）。大入賞口３２に規定入賞数の入賞があったか否かは、大入賞口検知スイッチ３２ｓで検知された遊技球の数に基づいて判定することができる。
【０１３１】
この結果、大入賞口３２に規定入賞数が入賞していないと判定された場合には（Ｓ６０４：ＮＯ）、大当り遊技処理を終了し、大入賞口３２に規定入賞数が入賞していると判定された場合（Ｓ６０４：ＹＥＳ）または大入賞口３２の開放時間が経過していると判定された場合には（Ｓ６０３：ＹＥＳ）、大入賞口３２を閉鎖する（Ｓ６０５）。
【０１３２】
また、上記Ｓ６０２の判定処理で、大入賞口３２が開放中でないと判定された場合には（Ｓ６０２：ＮＯ）、大当り遊技の終了条件が成立したか否かを判定する（Ｓ６０６）。Ｓ６０６の判定処理では、ラウンド数が「１５ラウンド」に達したか否かを判定する。そして、ラウンド数が「１５ラウンド」に達した場合に、大当り遊技の終了条件が成立したと判定する。
【０１３３】
この結果、大当り遊技終了条件が成立していないと判定された場合には（Ｓ６０６：ＮＯ）、大入賞口３２の閉鎖時間（インターバル時間）が経過しているか否かを判定し（Ｓ６０７）、大入賞口３２の閉鎖時間が経過していないと判定された場合には（Ｓ６０７：ＮＯ）、大当り遊技処理を終了し、大入賞口３２の閉鎖時間が経過していると判定された場合には（Ｓ６０７：ＹＥＳ）、大入賞口３２を開放する（Ｓ６０８）。
【０１３４】
上記Ｓ６０６の判定処理で、大当り遊技終了条件が成立していると判定された場合には（Ｓ６０６：ＹＥＳ）、大当り遊技終了時処理を行う（Ｓ６０９）。ここで、大当り遊技終了時処理（Ｓ６０９）について図１４のフローチャートに基づいて説明する。
【０１３５】
まず、大当り遊技フラグをＯＦＦにセットし（Ｓ６０９ａ）、今回の大当りが確変大当りであるか否かを判定する（Ｓ６０９ｂ）。この結果、確変大当りであると判定された場合には（Ｓ６０９ｂ：ＹＥＳ）、確変フラグをＯＮにセットする（Ｓ６０９ｃ）。これにより、大当り遊技の終了に伴って確率変動機能が作動を開始する。そして、変動短縮カウンタに「１０，０００」をセットする（Ｓ６０９ｄ）。一方、確変大当りでないと判定された場合には（Ｓ６０９ｂ：ＮＯ）、変動短縮カウンタに「１００」をセットする（Ｓ６０９ｅ）。
【０１３６】
次に、変動短縮カウンタをＯＮにセットし（Ｓ６０９ｆ）、開放延長フラグをＯＮにセットする（Ｓ６０９ｇ）。これにより、大当り遊技の終了に伴って変動時間短縮機能および開放時間延長機能が作動を開始する。そして、確率変動機能、変動時間短縮機能、開放時間延長機能の作動状態を示す遊技状態指定コマンドをサブ制御部２６０に送信する（Ｓ６０９ｈ）。
【０１３７】
次に、サブ制御部２６０および演出表示制御部２８０が実行するメニュー選択処理を図１５に基づいて説明する。図１５に示すメニュー選択処理には、サブ制御基板２６０ａに実装されたＣＰＵ２６０ｂが図示しないＲＯＭ（ＣＰＵ２６０ｂの内蔵ＲＯＭまたはサブ制御基板２６０ａに実装されるＲＯＭ）に格納されたプログラムに基づいて実行する処理と、演出表示制御基板２８０ａに実装されたＣＰＵ２８０ｂが図示しないＲＯＭ（ＣＰＵ２８０ｂの内蔵ＲＯＭまたは演出表示制御基板２８０ａに実装されるＲＯＭ）に格納されたプログラムに基づいて実行する処理とが含まれている。メニュー選択処理は、メニューボタン８が操作されたことに基づいて実行されるもので、演出表示装置２５の表示領域Ｖに、図７（ａ）に示すメニュー選択画面を表示する。
【０１３８】
図１５に示すように、メニュー選択処理では、メニュー選択画面に表示される演出環境設定項目のうち「音量設定」が選択されたか否かを判定する（Ｓ７００）。この結果、音量設定が選択されたと判定された場合には（Ｓ７００：ＹＥＳ）、音量設定処理を実行し（Ｓ７０１）、図７（ｂ）に示す「音量設定画面」を演出表示装置２５の表示領域Ｖに表示する。そして、音量設定画面にしたがって演出ボタン９（十字キー９ｂ，チャンスボタン９ａ）が操作されて音量設定値が決定されると、その決定された設定値をサブ制御部２６０のＲＡＭの所定領域に記憶する（Ｓ７０２）。一方、演出環境設定項目のうち「音量設定」が選択されていないと判定された場合には（Ｓ７００：ＮＯ）、演出環境設定項目のうち「枠ランプ設定」が選択されたか否かを判定する（Ｓ７０３）。
【０１３９】
この結果、枠ランプ設定が選択されたと判定された場合には（Ｓ７０３：ＹＥＳ）、枠ランプ設定処理を実行し（Ｓ７０４）、図７（ｃ）に示す「枠ランプ設定画面」を演出表示装置２５の表示領域Ｖに表示する。そして、枠ランプ設定画面にしたがって演出ボタン９（十字キー９ｂ，チャンスボタン９ａ）が操作されて輝度設定値が決定されると、その決定された設定値をサブ制御部２６０のＲＡＭの所定領域に記憶する（Ｓ７０２）。一方、演出環境設定項目のうち「枠ランプ設定」が選択されていないと判定された場合には（Ｓ７０３：ＮＯ）、演出環境設定項目のうち「液晶画面設定」が選択されたか否かを判定する（Ｓ７０５）。
【０１４０】
この結果、液晶画面設定が選択されたと判定された場合には（Ｓ７０５：ＹＥＳ）、液晶画面設定処理を実行し（Ｓ７０６）、図８（ａ）に示す「液晶画面設定画面」を演出表示装置２５の表示領域Ｖに表示する。そして、液晶画面設定画面にしたがって演出ボタン９（十字キー９ｂ，チャンスボタン９ａ）が操作されて輝度設定値やコントラスト設定値が決定されると、その決定された設定値をサブ制御部２６０のＲＡＭの所定領域に記憶する（Ｓ７０２）。一方、演出環境設定項目のうち「液晶画面設定」が選択されていないと判定された場合には（Ｓ７０５：ＮＯ）、演出環境設定項目のうち「キャラクタ設定」が選択されたか否かを判定する（Ｓ７０７）。
【０１４１】
この結果、キャラクタ設定が選択されたと判定された場合には（Ｓ７０７：ＹＥＳ）、キャラクタ設定処理を実行し（Ｓ７０８）、図８（ｂ）に示す「キャラクタ設定画面」を演出表示装置２５の表示領域Ｖに表示する。そして、液晶画面設定画面にしたがって演出ボタン９（十字キー９ｂ，チャンスボタン９ａ）が操作されてキャラクタが決定されると、その決定されたキャラクタに対応する設定値（キャラクタ設定値）をサブ制御部２６０のＲＡＭの所定領域に記憶する（Ｓ７０２）。一方、演出環境設定項目のうち「キャラクタ設定」が選択されていないと判定された場合には（Ｓ７０７：ＮＯ）、演出環境設定項目のうち「リセット（初期化）」が選択されたか否かを判定する（Ｓ７０９）。
【０１４２】
この結果、リセット（初期化）が選択されたと判定された場合には（Ｓ７０９：ＹＥＳ）、サブ制御部２６０のＲＡＭの所定領域に記憶されている各種演出環境設定値を初期値に変更する（Ｓ７１０）。これにより、操作者（主に遊技者）の意思に基づいて各種演出環境が初期化される。一方、リセット（初期化）が選択されていないと判定された場合には（Ｓ７０９：ＮＯ）、メニュー選択処理を終了する。
【０１４３】
次に、サブ制御部２６０および演出表示制御部２８０が実行する演出環境初期化処理を図１６に基づいて説明する。図１６に示す演出環境初期化処理には、サブ制御基板２６０ａに実装されたＣＰＵ２６０ｂが図示しないＲＯＭ（ＣＰＵ２６０ｂの内蔵ＲＯＭまたはサブ制御基板２６０ａに実装されるＲＯＭ）に格納されたプログラムに基づいて実行する処理と、演出表示制御基板２８０ａに実装されたＣＰＵ２８０ｂが図示しないＲＯＭ（ＣＰＵ２８０ｂの内蔵ＲＯＭまたは演出表示制御基板２８０ａに実装されるＲＯＭ）に格納されたプログラムに基づいて実行する処理とが含まれている。図１６に示す演出環境初期化処理は、遊技が進行していない場合に、操作者（主に遊技者）の意思に関係なく実行される。
【０１４４】
図１６に示すように、演出環境初期化処理では、特別図柄の変動表示が行われていない状態で所定の初期化条件が成立したか否かが判定される（Ｓ８００）。本実施例では、デモ演出が開始されてから所定時間（例えば１時間）が経過することで初期化条件が成立する。このため、Ｓ８００の判定処理では、デモ演出が開始されてから１時間が経過したか否かを判定すればよい。Ｓ８００の判定処理の結果、所定の初期化条件が成立していないと判定された場合には（Ｓ８００：ＮＯ）、演出環境初期化処理を終了する。一方、所定の初期化条件が成立したと判定された場合には（Ｓ８００：ＹＥＳ）、確率変動機能が作動しているか否かを判定する（Ｓ８０１）。
【０１４５】
この結果、確率変動機能が作動していると判定された場合には（Ｓ８０１：ＹＥＳ）、演出環境初期化処理を終了する。一方、確率変動機能が作動していないと判定された場合には（Ｓ８０１：ＮＯ）、変動時間短縮機能が作動しているか否かを判定する（Ｓ８０２）。
【０１４６】
この結果、変動時間短縮機能が作動していると判定された場合には（Ｓ８０２：ＹＥＳ）、演出環境初期化処理を終了する。一方、変動時間短縮機能が作動していないと判定された場合には（Ｓ８０２：ＮＯ）、開放時間延長機能が作動しているか否かを判定する（Ｓ８０３）。
【０１４７】
この結果、開放時間延長機能が作動していると判定された場合には（Ｓ８０３：ＹＥＳ）、演出環境初期化処理を終了する。一方、開放時間延長機能が作動していないと判定された場合には（Ｓ８０３：ＮＯ）、ＲＡＭの所定領域に記憶されている各種演出環境設定値を初期値に変更する（Ｓ８０４）。これにより、遊技が進行していない場合に、操作者（主に遊技者）の意思に関係なく各種演出環境が初期化される。なお、本実施例では、変動時間短縮機能および開放時間延長機能は同時に作動するので、Ｓ８０２およびＳ８０３の判定処理では、変動時間短縮機能または開放時間延長機能の何れか一方が作動しているか否かを判定するようにしてもよい。
【０１４８】
以上説明した本実施例では、非有利状態（通常遊技状態）において、特別図柄の非変動表示時に初期化条件が成立した場合には、演出環境を初期化し、有利状態（確変遊技状態または時短遊技状態）において、特別図柄の非変動表示時に初期化条件が成立した場合には、演出環境を初期化しないようにしている。有利状態中は遊技を有利に進めることができるため、遊技者が遊技を止める可能性が低く、一旦休憩に入ったとしても遊技を再開する可能性が高い。このため、本実施例のように、有利状態中には初期化条件が成立しても演出環境を初期化しないことで、初期化条件成立後においても演出環境が維持されることとなり、遊技者が休憩後に遊技を再開したような場合であっても、改めて演出環境を設定し直す必要がない。これにより、演出環境が無駄に初期化されてしまうことを防ぐことができ、遊技状況に応じた演出環境の制御が可能となる。
【０１４９】
また、本実施例では、遊技盤２０の裏側（サブ制御基板２６０ａ）に設けられた音量設定スイッチ２６５の操作に基づいてスピーカ１２ａ〜１２ｄの音量設定値を設定可能となっている。そして、音量設定スイッチ２６５の操作に基づいて設定された音量設定値を初期値として、遊技盤２０の表側に設けられた演出ボタン９の操作に基づいて音量設定値を設定可能となっている。つまり、本実施例では、音量設定スイッチ２６５の操作に基づいて遊技ホール店員が設定した音量設定値の初期値を、演出ボタン９の操作に基づいて遊技者が好みに応じて変更可能となっている。
【０１５０】
また、本実施例では、有利状態中には初期化条件が成立しても演出環境が自動的には初期化されないが、演出表示装置２５の表示領域Ｖにリセット画面（図８（ｃ））を表示させることで、演出ボタン９を用いた初期化指示に基づいて演出環境を初期化することができる。これにより、有利状態中であっても、演出環境の初期化を望む場合には、遊技者の意思に基づいて演出環境を手動で初期化することができる。
【０１５１】
ここで、本実施例の主要な要素と本発明の主要な要素との対応関係について説明すると、「第１特別図柄表示部４３」および「第２特別図柄表示部４４」が「表示手段」に対応し、「第１特別図柄」および「第２特別図柄」が「識別情報」に対応し、「大当り図柄」が「特定態様」に対応し、「大当り遊技」が「特定遊技」に対応し、「演出ボタン９」が「演出環境設定手段」および「第１演出環境設定手段」に対応し、「音量設定スイッチ２６５」が「第２演出環境設定手段」に対応し、「非有利状態（通常遊技状態）」が「第１遊技状態」に対応し、「有利状態（確変遊技状態または時短遊技状態）」が「第２遊技状態」に対応し、「スピーカ１２ａ〜１２ｄの音量」、「枠ランプ部５ｃの輝度」、「演出表示装置２５の輝度およびコントラスト」、「図柄変動演出で登場するキャラクタの種類」が「演出環境」に対応し、「演出環境設定値の初期値」が「初期の環境」に対応し、「サブ制御部２６０」および「演出表示制御部２８０」が「演出実行手段」に対応し、「サブ制御部２６０」が「初期化手段」、「復帰手段」に対応している。
【０１５２】
（第２実施例）
次に、本発明の第２実施例について説明する。本第２実施例では、上記第１実施例と同様の部分については説明を省略し、異なる部分についてのみ説明する。
【０１５３】
本第２実施例では、有利状態（確変遊技状態または時短遊技状態）において、特別図柄の非変動表示時に所定の初期化条件が成立した場合（デモ演出が開始されてから１時間経過した場合）に、現在の各種演出環境設定値をサブ制御部２６０のＲＡＭの所定領域に記憶してから、各種演出環境設定値を初期値に変更するようになっている。さらに、本第２実施例では、初期化条件の成立に基づく各種演出環境の初期化が行われた後で、所定の遊技復帰条件が成立した場合に、各種演出環境を初期化前の演出環境に戻すか否かを操作者（主に遊技者）に選択させる遊技復帰処理を行うようになっている。本第２実施例では、特別図柄の変動表示が開始された場合に、遊技復帰条件が成立するようにしている。
【０１５４】
図１７は、遊技復帰処理を行う際の遊技復帰処理画面を示している。初期化条件の成立に基づく各種演出環境の初期化が行われた後で所定の遊技復帰条件が成立すると、演出表示装置２５の表示領域Ｖに遊技復帰処理画面が表示される。遊技復帰処理画面には、演出図柄表示部２５ａと、操作指示部２５ｄと、復帰指示部２５ｋとが設けられている。復帰指示部２５ｋには、「演出環境は初期化されています」および「初期化前の演出環境に戻しますか？」との文字情報と、演出環境の復帰指示を実行する「はい」および演出環境の復帰指示をキャンセルする「いいえ」からなる復帰指示情報が表示される。
【０１５５】
遊技復帰処理画面が表示されている状態で演出ボタン９（十字キー９ｂ，チャンスボタン９ａ）を操作して、当該画面で「はい」（復帰指示を行う）を選択すると、演出環境設定値（音量設定値、枠ランプ設定値、液晶画面設定値、キャラクタ設定値）がサブ制御部２６０のＲＡＭの所定領域に記憶された初期化前の設定値に変更される。また、遊技復帰処理画面で「いいえ」（復帰指示を行わない）を選択すると、演出環境設定値が初期値のままとなる。なお、図１７に示す遊技復帰処理画面が表示された状態で、演出ボタン９（十字キー９ｂ，チャンスボタン９ａ）が操作されずに所定時間が経過すると、遊技復帰処理画面の表示は終了し、演出表示装置２５の表示領域Ｖで図柄変動演出が行われる。
【０１５６】
図１８は、本第２実施例の演出環境初期化処理のフローチャートであり、上記第１実施例の図１６に対応している。図１８に示すように、本第２実施例では、Ｓ８００の判定処理で、特別図柄の変動表示が行われていない状態で所定の初期化条件が成立していないと判定された場合には（Ｓ８００：ＹＥＳ）、Ｓ８０７の処理に移行する。
【０１５７】
また、特別図柄の変動表示が行われていない状態で所定の初期化条件が成立し（Ｓ８００：ＹＥＳ）、確率変動機能、変動時間短縮機能または開放時間延長機能の少なくとも何れが作動している場合、すなわち有利状態中（確変遊技状態または時短遊技状態）である場合には（Ｓ８０１：ＹＥＳ、Ｓ８０２：ＹＥＳ、Ｓ８０３：ＹＥＳ）、サブ制御部２６０のＲＡＭの所定領域に現在の各種演出環境設定値を記憶し（Ｓ８０５）、有利フラグをＯＮにセットし（Ｓ８０６）、各種演出環境設定値を初期値に変更する（Ｓ８０４）。有利フラグは、有利状態中に初期化条件が成立し、初期化前の演出環境設定値が記憶されていることを示すフラグである。
【０１５８】
また、確率変動機能、変動時間短縮機能または開放時間延長機能の何れもが作動していない場合、すなわち非有利状態中（通常遊技状態）である場合には（Ｓ８０１：ＮＯ、Ｓ８０２：ＮＯ、Ｓ８０３：ＮＯ）、現在の各種演出環境設定値を記憶することなく、各種演出環境設定値を初期値に変更する（Ｓ８０４）。
【０１５９】
次に、所定の遊技復帰条件が成立したか否かを判定する（Ｓ８０７）。上述のように、本第２実施例では、特別図柄の変動表示が開始された場合に遊技復帰条件が成立する。このため、Ｓ８０７の判定処理では、特別図柄の変動表示が開始されたか否かを判定すればよい。遊技復帰条件が成立していないと判定された場合には（Ｓ８０７：ＮＯ）、演出環境初期化処理を終了する。一方、遊技復帰条件が成立したと判定された場合には（Ｓ８０７：ＹＥＳ）、有利フラグがＯＮにセットされているか否かを判定する（Ｓ８０８）。この結果、有利フラグがＯＮにセットされていないと判定された場合には（Ｓ８０８：ＮＯ）、演出環境初期化処理を終了する。
【０１６０】
一方、有利フラグがＯＮにセットされていると判定された場合には（Ｓ８０８：ＹＥＳ）、演出表示装置２５の表示領域Ｖに遊技復帰処理画面（図１７）を表示し（Ｓ８０９）、演出ボタン９の操作に基づく復帰指示（初期化前の演出環境に戻す指示）がされたか否かを判定する（Ｓ８１０）。
【０１６１】
この結果、復帰指示がされていないと判定された場合には（Ｓ８１０：ＮＯ）、演出環境初期化処理を終了する。一方、復帰指示がされたと判定された場合には（Ｓ８１０：ＹＥＳ）、各種演出環境設定値をＳ８０５の処理で記憶した設定値に変更する（Ｓ８１１）。
【０１６２】
以上説明した本第２実施例では、有利状態（確変遊技状態または時短遊技状態）において、特別図柄の非変動表示時に初期化条件が成立した場合には、演出環境設定値をサブ制御部２６０のＲＡＭに記憶してから演出環境設定値を初期値に変更し、その後、遊技復帰条件が成立すると、遊技者が演出環境を初期化前の状態に戻すか否か（演出環境設定値を記憶された値に変更するか否か）を選択可能としている。このため、初期化条件の成立後に、以前と同じ遊技者が遊技を再開するような場合には、演出ボタン９の操作に基づく復帰指示を行うことで、容易に演出環境を初期化前の状態に戻すことができ、改めて演出環境を設定し直す必要がない。また、初期化条件の成立後に以前と異なる遊技者が遊技を新たに開始するような場合には、演出ボタン９の操作に基づく復帰指示をキャンセルすることで、演出環境が初期化された状態で遊技を開始することができる。
【０１６３】
また、遊技者に有利な有利状態中は、遊技者が遊技を止める可能性が低く、一旦休憩に入ったとしても遊技を再開する可能性が高いことから、本第２実施例では、有利状態でのみ、初期化条件成立時における演出環境の記憶処理と、遊技復帰条件成立時における演出環境の選択処理を行っている。これにより、初期化条件成立時における演出環境の記憶処理と、遊技復帰条件成立時における演出環境の選択処理を効果的に行うことができ、状況に応じた演出環境の制御が可能となる。
【０１６４】
（第３実施例）
次に、本発明の第３実施例について説明する。本第３実施例では、上記各実施例と同様の部分については説明を省略し、異なる部分についてのみ説明する。
【０１６５】
本第３実施例では、有利状態（確変遊技状態または時短遊技状態）において、特別図柄の非変動表示時に所定の初期化条件が成立した時点（デモ演出が開始されてから１時間経過した時点）では、各種演出環境を初期化せず、その後、所定の遊技復帰条件が成立した場合に、各種演出環境を初期化するか否かを操作者（主に遊技者）に選択させる遊技復帰処理を行うようになっている。
【０１６６】
図１９は、本第３実施例の遊技復帰処理を行う際の遊技復帰処理画面を示しており、上記第２実施例の図１７に対応している。本第３実施例の遊技復帰処理画面では、復帰指示部２５ｋに「演出環境を初期化しますか？」との文字情報と、演出環境の初期化指示を実行する「はい」および演出環境の初期化指示をキャンセルする「いいえ」からなる復帰指示情報が表示される。
【０１６７】
図１９に示す遊技復帰処理画面が表示されている状態で演出ボタン９（十字キー９ｂ，チャンスボタン９ａ）を操作して、当該画面で「はい」（初期化指示を行う）を選択すると、演出環境設定値（音量設定値、枠ランプ設定値、液晶画面設定値、キャラクタ設定値）が初期値に変更される。また、図１９に示す遊技復帰処理画面で「いいえ」（初期化指示を行わない）を選択すると、演出環境設定値が初期化されず、操作者（主に遊技者）が演出ボタン９の操作に基づいて設定した設定値が維持される。
【０１６８】
図２０は、本第３実施例の演出環境初期化処理のフローチャートであり、上記第２実施例の図１８に対応している。図２０に示すように、本第３実施例では、特別図柄の変動表示が行われていない状態で所定の初期化条件が成立し（Ｓ８００：ＹＥＳ）、確率変動機能、変動時間短縮機能または開放時間延長機能の少なくとも何れが作動している場合、すなわち有利状態中（確変遊技状態または時短遊技状態）である場合には（Ｓ８０１：ＹＥＳ、Ｓ８０２：ＹＥＳ、Ｓ８０３：ＹＥＳ）、各種演出環境設定値の記憶および初期化を行うことなく、有利フラグをＯＮにセットする（Ｓ８０６）。
【０１６９】
また、確率変動機能、変動時間短縮機能または開放時間延長機能の何れもが作動していない場合、すなわち非有利状態中（通常遊技状態）である場合には（Ｓ８０１：ＮＯ、Ｓ８０２：ＮＯ、Ｓ８０３：ＮＯ）、各種演出環境設定値を初期値に変更する（Ｓ８０４）。
【０１７０】
また、本第３実施例では、所定の遊技復帰条件が成立したときに（Ｓ８０７：ＹＥＳ）有利フラグがＯＮにセットされている場合に（Ｓ８０８：ＹＥＳ）、演出表示装置２５の表示領域Ｖに遊技復帰処理画面（図１９）を表示する（Ｓ８０９）。そして、演出ボタン９の操作に基づく初期化指示（演出環境を初期化する指示）がされたか否かを判定する（Ｓ８１２）。
【０１７１】
この結果、初期化指示がされていないと判定された場合には（Ｓ８１２：ＮＯ）、演出環境初期化処理を終了する。一方、初期化指示がされたと判定された場合には（Ｓ８１２：ＹＥＳ）、各種演出環境設定値を初期値に変更する（Ｓ８１３）。
【０１７２】
以上説明した本第３実施例では、有利状態（確変遊技状態または時短遊技状態）において、特別図柄の非変動表示時に初期化条件が成立し、その後、遊技復帰条件が成立した場合には、遊技者が演出環境を初期化するか否か（演出環境設定値を初期値に変更するか否か）を選択可能としている。このため、初期化条件の成立後に、以前と同じ遊技者が遊技を再開するような場合には、演出ボタン９の操作に基づく初期化指示をキャンセルすることで、演出環境が維持されるため、改めて演出環境を設定し直す必要がない。また、初期化条件の成立後に以前と異なる遊技者が遊技を新たに開始するような場合には、演出ボタン９の操作に基づく初期化指示を行うことで、演出環境が初期化された状態で遊技を開始することができる。また、本第３実施例では、初期化条件の成立時において、演出環境設定値を記憶する処理および初期化する処理を行う必要がない。
【０１７３】
なお、本第３実施例において、以下の発明（１）、（２）を特定することができる。
【０１７４】
（１）所定の表示手段にて変動表示される識別情報が特定態様で表示されることに基づいて遊技者にとって有利な特定遊技が実行可能となり、前記識別情報の変動表示が実行可能な遊技状態として、少なくとも第１遊技状態と、前記第１遊技状態よりも遊技者にとって有利な第２遊技状態とを有する遊技機であって、
遊技の進行に伴って所定の演出を行う演出実行手段と、
前記演出の実行に係る演出環境を設定可能な演出環境設定手段と、
前記識別情報の変動表示が行われていない状態で所定の遊技復帰条件が成立することに基づいて、所定の遊技復帰処理を行う復帰手段と、
を備え、
前記復帰手段は、前記遊技復帰処理として、少なくとも、前記演出環境を初期の環境とするか否かを選択する選択処理と、前記演出環境を前記選択の結果に基づく演出環境とする選択結果処理とを行う
ことを特徴とする遊技機。
【０１７５】
（２）（１）の構成において、
前記識別情報の変動表示が行われていない状態で所定の初期化条件が成立することに基づいて、少なくとも前記演出環境を初期の環境とする処理を行う初期化手段を備え、
前記識別情報の変動表示が実行可能な遊技状態として、少なくとも第１遊技状態と、前記第１遊技状態よりも遊技者にとって有利な第２遊技状態とを有し、
前記初期化手段は、前記第２遊技状態にて前記初期化条件が成立した場合には前記演出環境を初期の環境とする処理を行わず、前記第１遊技状態にて前記初期化条件が成立した場合に前記演出環境を初期の環境とする処理を行い、
前記復帰手段は、前記第１遊技状態にて前記遊技復帰条件が成立した場合には前記選択処理および前記選択結果処理を行わず、前記第２遊技状態にて前記遊技復帰条件が成立した場合に前記選択処理および前記選択結果処理を行う
ことを特徴とする遊技機。
【０１７６】
（他の実施形態）
以上、本発明の実施例について説明したが、本発明はこれに限定されるものではなく、各請求項に記載した範囲を逸脱しない限り、各請求項の記載文言に限定されず、当業者がそれらから容易に置き換えられる範囲にも及び、かつ、当業者が通常有する知識に基づく改良を適宜付加することができる。
【０１７７】
例えば、上記各実施例では、デモ演出が開始されてから所定時間（例えば１時間）が経過した場合に所定の初期化条件が成立するようにしたが、これに限らず、初期化条件を異なる内容としてもよい。例えば、特別図柄の変動表示が行われなくなってから所定時間経過した場合に初期化条件が成立するようにしてもよく、タッチスイッチ１０ａに基づいて発射ハンドル１０への接触が検知されなくなってから所定時間経過した場合に初期化条件が成立するようにしてもよく、遊技球の発射が検知されなくなってから所定時間経過した場合に初期化条件が成立するようにしてもよい。遊技球の発射に基づいて初期化条件の成立を判定する場合は、発射された遊技球を検知する発射球検知スイッチが設けられていれば、当該発射球検知スイッチの検知信号に基づいて遊技球の発射を検知すればよく、発射球検知スイッチが設けられていない場合には、各種入賞口（始動口２８、２９、大入賞口３２、入賞口３４〜３７等）の内部に設けられている遊技球検知スイッチやアウト口４７に設けられているアウト口検知スイッチの検知信号に基づいて遊技球の発射を検知すればよい。
【０１７８】
また、上記各実施例では、初期化条件が成立した後、特別図柄の変動表示が開始されることで所定の遊技復帰条件が成立するようにしたが、これに限らず、遊技復帰条件を異なる内容としてもよい。例えば、タッチスイッチ１０ａに基づいて発射ハンドル１０への接触が検知された場合に遊技復帰条件が成立するようにしてもよく、遊技球の発射が検知された場合に遊技復帰条件が成立するようにしてもよい。
【０１７９】
また、上記各実施例では、演出ボタン９の操作に基づいて設定可能な演出環境を、図７（ｂ）の音量設定、図７（ｃ）の枠ランプ設定、図８（ａ）の液晶画面設定、図８（ｂ）のキャラクタ設定とした例について説明したが、演出環境を異なる態様としてもよい。例えば、演出ボタン９の操作に基づいて、遊技機１の電力モード（省エネモードのオン／オフ）を設定可能としてもよい。省エネモードがオンに設定された場合は、待機状態になってから所定時間経過すると、枠ランプ５ｃや演出表示装置２５の画面の光量が通常状態よりも小さくなり、遊技が再開されると、枠ランプ５ｃや演出表示装置２５の画面の光量が通常状態に戻るようにする。
【０１８０】
また、上記各実施例では、演出環境の設定（図７（ｂ）の音量設定、図７（ｃ）の枠ランプ設定、図８（ａ）の液晶画面設定、図８（ｂ）のキャラクタ設定）、演出環境のリセット指示（図８（ｃ）のリセット（初期化））および演出環境の復帰指示（図１７の遊技復帰）を演出ボタン９の操作に基づいて行うようにしたが、遊技盤２０の前面側から遊技者が操作可能な入力手段であればよく、演出ボタン９以外の入力手段を用いてもよい。例えば、演出ボタン９以外の操作ボタンや液晶タッチパネル等を用いることができる。
【０１８１】
また、上記第２実施例では、図１８に示したように、有利状態（確変遊技状態または時短遊技状態）でのみ、初期化条件の成立に基づく演出環境の記憶処理（Ｓ８０５）と、遊技復帰条件の成立に基づく遊技復帰処理（Ｓ８０８〜Ｓ８１１）を行うようにしたが、これに限らず、非有利状態（通常遊技状態）においても初期化条件の成立に基づく演出環境の記憶処理（Ｓ８０５）と、遊技復帰条件の成立に基づく遊技復帰処理（Ｓ８０８〜Ｓ８１１）を行うようにしてもよい。
【０１８２】
また、上記第３実施例では、図２０に示したように、有利状態（確変遊技状態または時短遊技状態）において、初期化条件の成立に基づく初期化処理（Ｓ８０４）を行わず、遊技復帰条件の成立に基づく遊技復帰処理（Ｓ８０７〜Ｓ８０９、Ｓ８１２、Ｓ８１３）を行うようにしたが、これに限らず、非有利状態（通常遊技状態）においても初期化条件の成立に基づく演出環境の初期化処理（Ｓ８０４）を行わず、遊技復帰条件の成立に基づく遊技復帰処理（Ｓ８０８、Ｓ８０９、Ｓ８１２、Ｓ８１３）を行うようにしてもよい。
【０１８３】
また、上記各実施例では、遊技ホールの島設備から供給される遊技球を「貸球」や「賞球」として利用し、遊技盤に設けられた各種入賞口（第１始動口、第２始動口、大入賞口等）への遊技球の入球に応じて所定数の賞球を払い出すことによって、遊技上の利益（遊技価値）を遊技者に付与する遊技機（パチンコ機）に本発明を適用した例を説明したが、「賞球の払い出し」とは異なる形態で遊技上の利益を付与するタイプの遊技機にも、本発明を適用することができる。
【０１８４】
例えば、各種入賞口への遊技球の入球が発生することで、その入球に対応する利益の量（遊技価値の大きさ）を示すデータを主制御部あるいは払出制御部のＲＡＭに記憶することによって、遊技上の利益（遊技価値）を遊技者に付与するタイプの遊技機にも本発明を適用することができ、この場合にも、上記実施例と同様の効果を得ることができる。なお、遊技上の利益（遊技価値）をデータ化して遊技者に付与するタイプの遊技機としては、遊技機に内蔵された複数個の遊技球を循環させて使用する遊技機、具体的には、各種入賞口あるいはアウト口を経て遊技盤の裏面に排出された遊技球を、再度、発射位置に戻して発射するように構成された遊技機（いわゆる封入式遊技機）を例示できる。
【符号の説明】
【０１８５】
１…遊技機、９…演出ボタン（第１演出環境設定手段、演出環境設定手段）、２５…演出表示装置、４３…第１特別図柄表示部（表示手段）、４４…第２特別図柄表示部（表示手段）、２００…主制御部、２６０…サブ制御部（演出実行手段、初期化手段、復帰手段）、２６５…音量設定スイッチ（第２演出環境設定手段）、２８０…演出表示制御部（演出実行手段）。
【図１】
0005954398.tif 000002
【図２】
0005954398.tif 000003
【図３】
0005954398.tif 000004
【図４】
0005954398.tif 000005
【図５】
0005954398.tif 000006
【図６】
0005954398.tif 000007
【図７】
0005954398.tif 000008
【図８】
0005954398.tif 000009
【図９】
0005954398.tif 000010
【図１０（ａ）】
0005954398.tif 000011
【図１０（ｂ）】
0005954398.tif 000012
【図１１】
0005954398.tif 000013
【図１２】
0005954398.tif 000014
【図１３】
0005954398.tif 000015
【図１４】
0005954398.tif 000016
【図１５】
0005954398.tif 000017
【図１６】
0005954398.tif 000018
【図１７】
0005954398.tif 000019
【図１８】
0005954398.tif 000020
【図１９】
0005954398.tif 000021
【図２０】
0005954398.tif 000022